(57)【特許請求の範囲】
【請求項１】
通信デバイス（１０１ａ−１〜１０１ａ−３、１０１ｂ−１、１０１ｂ−２）であって、
無線ネットワーク（１００）のチャネル（２８０）上でデータを送受信する様に構成された無線インタフェース（１７０２）と、
第１クラスのデータ及び第２クラスのデータのために予約された、前記チャネル（２８０）上の無線リソース（２２１、２２２、２２３）を示す情報を格納する様に構成されたメモリ（１７０４）であって、前記無線リソース（２２１、２２２、２２３）は、前記通信デバイス（１０１ａ−１〜１０１ａ−３、１０１ｂ−１、１０１ｂ−２）と他の通信デバイス（１０１ａ−１〜１０１ａ−３、１０１ｂ−１、１０１ｂ−２）との間で共有される、前記メモリ（１７０４）と、
前記無線インタフェース（１７０２）を介して制御メッセージ（５８０、５８１）を受信する様に構成された少なくとも１つのプロセッサ（１７０１）であって、前記制御メッセージ（５８０、５８１）は、前記無線リソース（２２１、２２２、２２３）の時間−周波数リソースブロック（２１５）を事前に示し、前記通信デバイス（１０１ａ−１〜１０１ａ−３、１０１ｂ−１、１０１ｂ−２）に前記チャネル（２８０）上の前記無線リソース（２２１、２２２、２２３）の前記示された時間−周波数リソースブロック（２１５）での送信の停止を指示する、前記少なくとも１つのプロセッサ（１７０１）と、
を備え、
前記少なくとも１つのプロセッサ（１７０１）は、前記メモリ（１７０４）から前記格納された情報を読み出す様に構成され、
前記少なくとも１つのプロセッサ（１７０１）は、さらに、前記制御メッセージ（５８０、５８１）の前記受信に応答して、前記チャネル（２８０）上の前記無線リソース（２２１、２２２、２２３）の前記示された時間−周波数リソーブロック（２１５）での送信を停止させる様に前記無線インタフェース（１７０２）を制御する様に構成され、
前記無線リソース（２２１、２２２、２２３）は、前記第１クラスのデータために予約された、前記チャネル（２８０）上の第１無線リソース（２２１）を含み、さらに、前記第２クラスのデータために予約された、前記チャネル（２８０）上の第２無線リソース（２２２）を含み、前記第１無線リソース（２２１）及び前記第２無線リソース（２２２）は、前記通信デバイス（１０１ａ−１〜１０１ａ−３、１０１ｂ−１、１０１ｂ−２）と前記他の通信デバイス（１０１ａ−１〜１０１ａ−３、１０１ｂ−１、１０１ｂ−２）との間で共有され、
前記少なくとも１つのプロセッサ（１７０１）は、前記第２無線リソース（２２２）の前記チャネル（２８０）上でのトラフィック負荷と、さらに、前記第１無線リソース（２２１）の前記示された時間−周波数リソースブロック（２１５）に応じて、前記第２クラスのデータのデータパケット（４９２）の送信のために、前記第１無線リソース（２２１）及び前記第２無線リソース（２２２）から選択する様に構成され、
前記少なくとも１つのプロセッサ（１７０１）は、前記第１無線リソース（２２１）が選択された場合、前記無線インタフェース（１７０２）を介して前記チャネル（２８０）上で、前記第１無線リソース（２２１）を使用して前記第２クラスのデータの前記データパケット（４９２）を送信する様に構成される、通信デバイス。
【請求項２】
通信デバイス（１０１ａ−１〜１０１ａ−３、１０１ｂ−１、１０１ｂ−２）であって、
無線ネットワーク（１００）のチャネル（２８０）上でデータを送受信する様に構成された無線インタフェース（１７０２）と、
第１クラスのデータために予約された、前記チャネル（２８０）上の第１無線リソース（２２１）を示し、さらに、第２クラスのデータのために予約された、前記チャネル（２８０）上の第２無線リソース（２２２）を示す情報を格納する様に構成されたメモリ（１７０４）であって、前記第１無線リソース（２２１）は、前記通信デバイス（１０１ａ−１〜１０１ａ−３、１０１ｂ−１、１０１ｂ−２）と他の通信デバイス（１０１ａ−１〜１０１ａ−３、１０１ｂ−１、１０１ｂ−２）との間で共有される、前記メモリ（１７０４）と、
前記メモリ（１７０４）から前記格納された情報を読み出し、前記第２無線リソース（２２２）の前記チャネル（２８０）上でのトラフィック負荷に応じて、前記第２クラスのデータのデータパケット（４９２）の送信のために、前記第１無線リソース（２２１）及び前記第２無線リソース（２２２）から選択する様に構成される、少なくとも１つのプロセッサ（１７０１）と、
を備え、
前記少なくとも１つのプロセッサ（１７０１）は、前記第１無線リソース（２２１）が選択された場合、前記無線インタフェース（１７０２）を介して前記チャネル（２８０）上で、前記第１無線リソース（２２１）を使用して前記第２クラスのデータの前記データパケット（４９２）を送信する様に構成され、
前記少なくとも１つのプロセッサ（１７０１）は、前記無線インタフェース（１７０２）を介して制御メッセージ（５８０、５８１）を受信する様に構成され、前記制御メッセージ（５８０、５８１）は、前記第１無線リソース（２２１）の時間−周波数リソースブロック（２１５）を事前に示し、前記通信デバイス（１０１ａ−１〜１０１ａ−３、１０１ｂ−１、１０１ｂ−２）に、前記チャネル（２８０）上の前記第１無線リソース（２２１）の前記示された時間−周波数リソースブロック（２１５）での送信の停止を指示し、
前記少なくとも１つのプロセッサ（１７０１）は、さらに、前記第１無線リソース（２２１）の前記示された時間−周波数リソースブロック（２１５）にさらに応じて、前記第２クラスのデータの前記データパケット（４９２）の前記送信のために、前記第１無線リソース（２２１）及び前記第２無線リソース（２２２）から選択する様に構成され、
前記少なくとも１つのプロセッサ（１７０１）は、さらに、前記制御メッセージ（５８０、５８１）の前記受信に応答して、前記チャネル（２８０）上の前記第１無線リソース（２２１）の前記示された時間−周波数リソーブロック（２１５）における送信を停止させる様に前記無線インタフェース（１７０２）を制御する様に構成される、通信デバイス。
【請求項３】
請求項１又は２に記載の通信デバイス（１０１ａ−１〜１０１ａ−３、１０１ｂ−１、１０１ｂ−２）であって、
前記少なくとも１つのプロセッサ（１７０１）は、ブロードキャスト送信（１８０）で、前記他の通信デバイス（１０１ａ−１〜１０１ａ−３、１０１ｂ−１、１０１ｂ−２）から前記無線インタフェース（１７０２）を介して前記制御メッセージ（５８０、５８１）を受信する様に構成される、通信デバイス。
【請求項４】
請求項１から３のいずれか１項に記載の通信デバイス（１０１ａ−１〜１０１ａ−３、１０１ｂ−１、１０１ｂ−２）であって、
前記少なくとも１つのプロセッサ（１７０１）は、ブロードキャスト送信（１８０）又はユニキャスト送信（１９０）で、前記無線ネットワーク（１００）のアクセスノード（１０２）から前記無線インタフェース（１７０２）を介して前記制御メッセージ（５８０、５８１）を受信する様に構成される、通信デバイス。
【請求項５】
請求項１から４のいずれか１項に記載の通信デバイス（１０１ａ−１〜１０１ａ−３、１０１ｂ−１、１０１ｂ−２）であって、
前記少なくとも１つのプロセッサ（１７０１）は、前記第２クラスのデータの前記データパケット（４９２）のサイズ、前記第２無線リソース（２２２）のサイズ及び前記第２クラスのデータの前記データパケット（４９２）に含まれる前記第２クラスのデータの優先度の少なくとも１つにさらに応じて、前記第２クラスのデータの前記データパケット（４９２）の前記送信のために、前記第１無線リソース（２２１）及び前記第２無線リソース（２２２）から選択する様に構成される、通信デバイス。
【請求項６】
請求項１から５のいずれか１項に記載の通信デバイス（１０１ａ−１〜１０１ａ−３、１０１ｂ−１、１０１ｂ−２）であって、
前記第１クラスのデータは、イベントトリガデータに対応し、
前記第２クラスのデータは、ベストエフォートデータに対応する、通信デバイス。
【請求項７】
請求項１から６のいずれか１項に記載の通信デバイス（１０１ａ−１〜１０１ａ−３、１０１ｂ−１、１０１ｂ−２）であって、
前記第１クラスのデータは、前記第２クラスのデータより高い送信優先度を有する、通信デバイス。
【請求項８】
方法であって、
メモリ（１７０４）が、第１クラスのデータ及び第２クラスのデータのために予約された、無線ネットワーク（１００）のチャネル（２８０）上の無線リソース（２２１、２２２、２２３）を示す情報を格納することであって、前記無線リソース（２２１、２２２、２２３）は、通信デバイス（１０１ａ−１〜１０１ａ−３、１０１ｂ−１、１０１ｂ−２）と他の通信デバイス（１０１ａ−１〜１０１ａ−３、１０１ｂ−１、１０１ｂ−２）との間で共有される、格納することと、
少なくとも１つのプロセッサ（１７０１）が無線インタフェース（１７０２）を介して制御メッセージ（５８０、５８１）を受信することであって、前記制御メッセージ（５８０、５８１）は、前記無線リソース（２２１、２２２、２２３）の時間−周波数リソースブロック（２１５）を事前に示し、前記通信デバイス（１０１ａ−１〜１０１ａ−３、１０１ｂ−１、１０１ｂ−２）に、前記チャネル（２８０）上の前記示された時間−周波数リソースブロック（２１５）での送信の停止を指示する、前記受信することと、
前記少なくとも１つのプロセッサ（１７０１）が、前記メモリ（１７０４）から前記格納された情報を読み出すことと、
前記少なくとも１つのプロセッサ（１７０１）が、前記制御メッセージ（５８０、５８１）の前記受信に応答して、前記チャネル（２８０）上の前記示された時間−周波数リソーブロック（２１５）における送信を停止させる様に前記無線インタフェース（１７０２）を制御することと、を含み、
前記無線リソース（２２１、２２２、２２３）は、前記第１クラスのデータために予約された、前記チャネル（２８０）上の第１無線リソース（２２１）を含み、さらに、前記第２クラスのデータために予約された、前記チャネル（２８０）上の第２無線リソース（２２２）を含み、前記第１無線リソース（２２１）及び前記第２無線リソース（２２２）は、前記通信デバイス（１０１ａ−１〜１０１ａ−３、１０１ｂ−１、１０１ｂ−２）と前記他の通信デバイス（１０１ａ−１〜１０１ａ−３、１０１ｂ−１、１０１ｂ−２）との間で共有され、
前記方法は、さらに、
前記少なくとも１つのプロセッサ（１７０１）が、前記第２無線リソース（２２２）の前記チャネル（２８０）上でのトラフィック負荷と、さらに、前記第１無線リソース（２２１）の前記示された時間−周波数リソースブロック（２１５）に応じて、前記第２クラスのデータのデータパケット（４９２）の送信のために、前記第１無線リソース（２２１）及び前記第２無線リソース（２２２）から選択することと、
前記第１無線リソース（２２１）が選択された場合、前記少なくとも１つのプロセッサ（１７０１）が、前記無線インタフェース（１７０２）を介して前記チャネル（２８０）上で、前記第１無線リソース（２２１）を使用して前記第２クラスのデータの前記データパケット（４９２）を送信することと、を含む方法。
【請求項９】
方法であって、
メモリ（１７０４）が、第１クラスのデータために予約された、無線ネットワーク（１００）のチャネル（２８０）上の第１無線リソース（２２１）を示し、さらに、第２クラスのデータために予約された、前記チャネル（２８０）上の第２無線リソース（２２２）を示す情報を格納することであって、前記第１無線リソース（２２１）は、通信デバイス（１０１ａ−１〜１０１ａ−３、１０１ｂ−１、１０１ｂ−２）と他の通信デバイス（１０１ａ−１〜１０１ａ−３、１０１ｂ−１、１０１ｂ−２）との間で共有される、前記格納することと、
少なくとも１つのプロセッサ（１７０１）が、前記メモリ（１７０４）から前記格納された情報を読み出し、前記第２無線リソース（２２２）の前記チャネル（２８０）上でのトラフィック負荷に応じて、前記第２クラスのデータのデータパケット（４９２）の送信のために、前記第１無線リソース（２２１）及び前記第２無線リソース（２２２）から選択することと、
前記第１無線リソース（２２１）が選択された場合、前記少なくとも１つのプロセッサ（１７０１）が、無線インタフェース（１７０２）を介して前記チャネル（２８０）上で、前記第１無線リソース（２２１）を使用して前記第２クラスのデータの前記データパケット（４９２）を送信することを含み、
前記方法は、さらに、
前記少なくとも１つのプロセッサ（１７０１）が、前記無線インタフェース（１７０２）を介して制御メッセージ（５８０、５８１）を受信することであって、前記制御メッセージ（５８０、５８１）は、前記第１無線リソース（２２１）の時間−周波数リソースブロック（２１５）を事前に示し、前記通信デバイス（１０１ａ−１〜１０１ａ−３、１０１ｂ−１、１０１ｂ−２）に、前記チャネル（２８０）上の前記示された時間−周波数リソースブロック（２１５）での送信の停止を指示し、前記第２クラスのデータの前記データパケット（４９２）の送信のための、前記第１無線リソース（２２１）及び前記第２無線リソース（２２２）からの前記選択は、さらに、前記第１無線リソース（２２１）の前記示された時間−周波数リソースブロック（２１５）に応じる、前記受信することと、
前記少なくとも１つのプロセッサ（１７０１）が、前記制御メッセージ（５８０、５８１）の前記受信に応答して、前記チャネル（２８０）上の前記示された時間−周波数リソーブロック（２１５）における送信を停止させる様に前記無線インタフェース（１７０２）を制御することと、を含む、方法。
【請求項１０】
請求項８又は９に記載の方法であって、
前記少なくとも１つのプロセッサ（１７０１）は、ブロードキャスト送信（１８０）で、前記他の通信デバイス（１０１ａ−１〜１０１ａ−３、１０１ｂ−１、１０１ｂ−２）から前記無線インタフェース（１７０２）を介して前記制御メッセージ（５８０、５８１）を受信する、方法。
【請求項１１】
請求項８から１０のいずれか１項に記載の方法であって、
前記少なくとも１つのプロセッサ（１７０１）は、ブロードキャスト送信（１８０）又はユニキャスト送信（１９０）で、前記無線ネットワーク（１００）のアクセスノード（１０２）から前記無線インタフェース（１７０２）を介して前記制御メッセージ（５８０、５８１）を受信する、方法。
【請求項１２】
請求項８から１１のいずれか１項に記載の方法であって、
前記第２クラスのデータの前記データパケット（４９２）の送信のための、前記第１無線リソース（２２１）及び前記第２無線リソース（２２２）からの前記選択は、さらに、前記第２クラスのデータの前記データパケット（４９２）のサイズ、前記第２無線リソース（２２２）のサイズ及び前記第２クラスのデータの前記データパケット（４９２）に含まれる前記第２クラスのデータの優先度の少なくとも１つに応じる、方法。
【請求項１３】
請求項８から１２のいずれか１項に記載の方法であって、
前記第１クラスのデータは、イベントトリガデータに対応し、
前記第２クラスのデータは、ベストエフォートデータに対応する、方法。
【請求項１４】
請求項８から１３のいずれか１項に記載の方法であって、
前記第１クラスのデータは、前記第２クラスのデータより高い送信優先度を有する、方法。
【請求項１５】
通信デバイス（１０１ａ−１〜１０１ａ−３、１０１ｂ−１、１０１ｂ−２）であって、
無線ネットワーク（１００）のチャネル（２８０）上でデータを送受信する様に構成された無線インタフェース（１７０２）と、
少なくとも第１クラスのデータのために予約された、前記チャネル（２８０）上の無線リソース（２２１、２２２、２２３）を示す情報を格納する様に構成されたメモリ（１７０４）であって、前記無線リソース（２２１、２２２、２２３）は、前記通信デバイス（１０１ａ−１〜１０１ａ−３、１０１ｂ−１、１０１ｂ−２）と他の通信デバイス（１０１ａ−１〜１０１ａ−３、１０１ｂ−１、１０１ｂ−２）との間で共有される、前記メモリ（１７０４）と、
前記無線リソース（２２１、２２２、２２３）を使用して前記第１クラスのデータのデータパケット（４９１）を送信する必要性を事前に示す制御メッセージ（５８０、５８１）を、前記無線インタフェース（１７０２）を介して送信する様に構成された少なくとも１つのプロセッサ（１７０１）と、を備え、
前記少なくとも１つのプロセッサ（１７０１）は、さらに、前記無線インタフェース（１７０２）を介して前記チャネル（２８０）上で、前記無線リソース（２２１、２２２、２２３）を使用して前記第１クラスのデータの前記データパケット（４９１）を送信する様に構成され、
前記少なくとも１つのプロセッサ（１７０１）は、前記無線インタフェース（１７０２）を介して、ブロードキャスト送信（１８０）で、前記他の通信デバイス（１０１ａ−１〜１０１ａ−３、１０１ｂ−１、１０１ｂ−２）に前記制御メッセージ（５８０、５８１）を送信し、オプションとして前記無線ネットワーク（１００）のアクセスノード（１０２）に前記制御メッセージ（５８０、５８１）を送信する様に構成される、通信デバイス。
【請求項１６】
請求項１５に記載の通信デバイス（１０１ａ−１〜１０１ａ−３、１０１ｂ−１、１０１ｂ−２）であって、
前記少なくとも１つのプロセッサ（１７０１）は、ユニキャスト送信（１９０）で、前記無線ネットワーク（１００）のアクセスノード（１０２）に、前記無線インタフェース（１７０２）を介して前記制御メッセージ（５８０、５８１）を送信する様に構成される、通信デバイス。
【請求項１７】
請求項１５又は１６に記載の通信デバイス（１０１ａ−１〜１０１ａ−３、１０１ｂ−１、１０１ｂ−２）であって、
前記少なくとも１つのプロセッサ（１７０１）は、前記第１クラスのデータの前記データパケット（４９１）の送信のための前記無線リソース（２２１、２２２、２２３）の時間−周波数リソースブロック（２１５）を選択する様に構成され、
前記制御メッセージ（５８０、５８１）は、前記時間−周波数リソースブロック（２１５）を事前に示し、前記他の通信デバイス（１０１ａ−１〜１０１ａ−３、１０１ｂ−１、１０１ｂ−２）に、前記時間−周波数リソースブロック（２１５）における前記チャネル（２８０）上での送信の停止を指示し、
前記少なくとも１つのプロセッサ（１７０１）は、前記無線インタフェース（１７０２）を介して前記チャネル（２８０）上で、前記無線リソース（２２１、２２２、２２３）の前記選択された時間−周波数リソースブロック（２１５）を使用して前記第１クラスのデータの前記データパケット（４９１）を送信する様に構成される、通信デバイス。
【請求項１８】
請求項１５又は１６に記載の通信デバイス（１０１ａ−１〜１０１ａ−３、１０１ｂ−１、１０１ｂ−２）であって、
前記少なくとも１つのプロセッサ（１７０１）は、前記制御メッセージ（５８０、５８１）の前記送信後、前記無線ネットワーク（１００）のアクセスノード（１０２）から前記無線インタフェース（１７０２）を介して、ユニキャスト送信（１９０）又はブロードキャスト送信（１８０）で、前記第１クラスのデータの前記データパケット（４９１）の送信のための前記無線リソース（２２１、２２２、２２３）の時間−周波数リソースブロック（２１５）を示す他の制御メッセージ（５８０、５８１）を受信する様に構成され、
前記他の制御メッセージ（５８０、５８１）は、前記通信デバイス（１０１ａ−１〜１０１ａ−３、１０１ｂ−１、１０１ｂ−２）に、前記示された時間−周波数リソースブロック（２１５）を使用して前記第１クラスのデータの前記データパケット（４９１）を送信することを指示し、
前記少なくとも１つのプロセッサ（１７０１）は、前記無線インタフェース（１７０２）を介して前記チャネル（２８０）上で、前記無線リソース（２２１、２２２、２２３）の前記示された時間−周波数リソースブロック（２１５）を使用して前記第１クラスのデータの前記データパケット（４９１）を送信する様に構成される、通信デバイス。
【請求項１９】
請求項１５から１８のいずれか１項に記載の通信デバイス（１０１ａ−１〜１０１ａ−３、１０１ｂ−１、１０１ｂ−２）であって、
前記無線リソース（２２１、２２２、２２３）は、前記第１クラスのデータのために予約された、前記チャネル（２８０）上の第１無線リソース（２２１）を含み、さらに、第２クラスのデータのために予約された、前記チャネル（２８０）上の第２無線リソース（２２１）を含み、
前記少なくとも１つのプロセッサ（１７０１）は、前記メモリ（１７０４）から前記格納された情報を読み出し、前記第２無線リソース（２２２）の前記チャネル（２８０）上でのトラフィック負荷に応じて、前記第２クラスのデータのデータパケット（４９２）の送信のために、前記第１無線リソース（２２１）及び前記第２無線リソース（２２２）から選択する様に構成され、
前記少なくとも１つのプロセッサ（１７０１）は、前記第１無線リソース（２２１）が、前記第２クラスのデータの前記データパケット（４９２）の前記送信のために選択された場合、前記無線インタフェース（１７０２）を介して前記チャネル（２８０）上で、前記第１無線リソース（２２１）を使用して前記第２クラスのデータの前記データパケット（４９２）を送信する様に構成される、通信デバイス。
【請求項２０】
請求項１９に記載の通信デバイス（１０１ａ−１〜１０１ａ−３、１０１ｂ−１、１０１ｂ−２）であって、
前記第１クラスのデータは、イベントトリガデータに対応し、
前記第２クラスのデータは、ベストエフォートデータに対応する、通信デバイス。
【請求項２１】
請求項１９又は２０に記載の通信デバイス（１０１ａ−１〜１０１ａ−３、１０１ｂ−１、１０１ｂ−２）であって、
前記第１クラスのデータは、前記第２クラスのデータより高い送信優先度を有する、通信デバイス。
【請求項２２】
方法であって、
メモリ（１７０４）が、少なくとも第１クラスのデータのために予約された、無線ネットワーク（１００）のチャネル（２８０）上の無線リソース（２２１、２２２、２２３）を示す情報を格納することであって、前記無線リソース（２２１、２２２、２２３）は、通信デバイス（１０１ａ−１〜１０１ａ−３、１０１ｂ−１、１０１ｂ−２）と他の通信デバイス（１０１ａ−１〜１０１ａ−３、１０１ｂ−１、１０１ｂ−２）との間で共有される、前記格納することと、
少なくとも１つのプロセッサ（１７０１）が、前記無線リソース（２２１、２２２、２２３）を使用して前記第１クラスのデータのデータパケット（４９１）を前記通信デバイス（１０１ａ−１〜１０１ａ−３、１０１ｂ−１、１０１ｂ−２）が送信する必要性を事前に示す制御メッセージ（５８０、５８１）を、無線インタフェース（１７０２）を介して送信することと、
前記少なくとも１つのプロセッサ（１７０１）が、前記無線インタフェース（１７０２）を介して前記チャネル（２８０）上で、前記無線リソース（２２１、２２２、２２３）を使用して前記第１クラスのデータの前記データパケット（４９１）を送信することと、を含み、
前記少なくとも１つのプロセッサ（１７０１）は、前記無線インタフェース（１７０２）を介して、ブロードキャスト送信（１８０）で、前記他の通信デバイス（１０１ａ−１〜１０１ａ−３、１０１ｂ−１、１０１ｂ−２）に前記制御メッセージ（５８０、５８１）を送信し、オプションとして前記無線ネットワーク（１００）のアクセスノード（１０２）に前記制御メッセージ（５８０、５８１）を送信する、方法。
【請求項２３】
請求項２２に記載の方法であって、
前記少なくとも１つのプロセッサ（１７０１）は、前記無線インタフェース（１７０２）を介して、ユニキャスト送信（１９０）で、前記無線ネットワーク（１００）のアクセスノード（１０２）に前記制御メッセージ（５８０、５８１）を送信する、方法。
【請求項２４】
請求項２２又は２３に記載の方法であって、さらに、
前記少なくとも１つのプロセッサ（１７０１）が、前記第１クラスのデータの前記データパケット（４９１）の送信のための前記無線リソース（２２１、２２２、２２３）の時間−周波数リソースブロック（２１５）を選択することであって、前記制御メッセージ（５８０、５８１）は、前記時間−周波数リソースブロック（２１５）を事前に示し、前記他の通信デバイス（１０１ａ−１〜１０１ａ−３、１０１ｂ−１、１０１ｂ−２）に、前記時間−周波数リソースブロック（２１５）において前記チャネル（２８０）上での送信の停止を指示する、前記選択することと、
前記少なくとも１つのプロセッサ（１７０１）が、前記無線インタフェース（１７０２）を介して前記チャネル（２８０）上で、前記無線リソース（２２１、２２２、２２３）の前記選択された時間−周波数リソースブロック（２１５）を使用して前記第１クラスのデータの前記データパケット（４９１）を送信することと、を含む、方法。
【請求項２５】
請求項２２又は２３に記載の方法であって、さらに、
前記制御メッセージ（５８０、５８１）の前記送信後、前記少なくとも１つのプロセッサ（１７０１）が、前記無線ネットワーク（１００）のアクセスノード（１０２）から前記無線インタフェース（１７０２）を介して、ユニキャスト送信（１９０）又はブロードキャスト送信（１８０）で、前記第１クラスのデータの前記データパケット（４９１）を送信するための前記無線リソース（２２１、２２２）の時間−周波数リソースブロック（２１５）を示す他の制御メッセージ（５８０、５８１）を受信することであって、前記他の制御メッセージ（５８０、５８１）は、前記通信デバイス（１０１ａ−１〜１０１ａ−３、１０１ｂ−１、１０１ｂ−２）に、前記示された時間−周波数リソースブロック（２１５）を使用して前記第１クラスのデータの前記データパケット（４９１）の送信を指示する、前記受信することと、
前記少なくとも１つのプロセッサ（１７０１）が、前記無線インタフェース（１７０２）を介して前記チャネル（２８０）上で、前記無線リソース（２２１、２２２、２２３）の前記示された時間−周波数リソースブロック（２１５）を使用して前記第１クラスのデータの前記データパケット（４９１）を送信することと、を含む、方法。
【請求項２６】
請求項２２から２５のいずれか１項に記載の方法であって、
前記無線リソース（２２１、２２２、２２３）は、前記第１クラスのデータのために予約された、前記チャネル（２８０）上の第１無線リソース（２２１）を含み、さらに、第２クラスのデータのために予約された、前記チャネル（２８０）上の第２無線リソース（２２１）を含み、
前記少なくとも１つのプロセッサ（１７０１）が、前記メモリ（１７０４）から前記格納された情報を読み出し、前記第２無線リソース（２２２）の前記チャネル（２８０）上でのトラフィック負荷に応じて、前記第２クラスのデータのデータパケット（４９２）の送信のために、前記第１無線リソース（２２１）及び前記第２無線リソース（２２２）から選択することと、
前記第１無線リソース（２２１）が前記第２クラスのデータの前記データパケット（４９２）の前記送信のために選択された場合、前記少なくとも１つのプロセッサ（１７０１）が、前記無線インタフェース（１７０２）を介して前記チャネル（２８０）上で、前記第１無線リソース（２２１）を使用して前記第２クラスのデータの前記データパケット（４９２）を送信することを含む、方法。
【請求項２７】
請求項２６に記載の方法であって、
前記第１クラスのデータは、イベントトリガデータに対応し、
前記第２クラスのデータは、ベストエフォートデータに対応する、方法。
【請求項２８】
請求項２６又は２７に記載の方法であって、
前記第１クラスのデータは、前記第２クラスのデータより高い送信優先度を有する、方法。
【請求項２９】
無線ネットワーク（１００）のアクセスノード（１０２）であって、
前記無線ネットワーク（１００）のチャネル（２８０）上でデータを送受信する様に構成された無線インタフェース（１８０２）と、
前記チャネル（２８０）上において、共有する方法で、少なくとも第１クラスのデータのために予約された無線リソース（２２１、２２２、２２３）を、通信デバイス（１０１ａ−１〜１０１ａ−３、１０１ｂ−１、１０１ｂ−２）と、他の通信デバイス（１０１ａ−１〜１０１ａ−３、１０１ｂ−１、１０１ｂ−２）に事前に割り当てる様に構成された少なくとも１つのプロセッサ（１８０１）と、を備え、
前記少なくとも１つのプロセッサ（１８０１）は、さらに、前記通信デバイス（１０１ａ−１〜１０１ａ−３、１０１ｂ−１、１０１ｂ−２）から前記無線インタフェース（１８０２）を介して制御メッセージ（５８０、５８１）を、受信する様に構成され、前記制御メッセージ（５８０、５８１）は、前記無線リソース（２２１、２２２、２２３）を使用して前記第１クラスのデータのデータパケット（４９１）を前記通信デバイス（１０１ａ−１〜１０１ａ−３、１０１ｂ−１、１０１ｂ−２）が送信する必要性を事前に示し、
前記少なくとも１つのプロセッサ（１８０１）は、前記通信デバイス（１０１ａ−１〜１０１ａ−３、１０１ｂ−１、１０１ｂ−２）による前記第１クラスのデータの前記データパケット（４９１）の前記送信のための前記無線リソース（２２１、２２２、２２３）の時間−周波数リソースブロック（２１５）を選択する様に構成され、
前記少なくとも１つのプロセッサ（１８０１）は、さらに、前記無線インタフェース（１８０２）を介して、前記通信デバイス（１０１ａ−１〜１０１ａ−３、１０１ｂ−１、１０１ｂ−２）及び前記他の通信デバイス（１０１ａ−１〜１０１ａ−３、１０１ｂ−１、１０１ｂ−２）に、前記無線リソース（２２１、２２２、２２３）の前記選択された時間−周波数リソースブロック（２１５）を示す他の制御メッセージ（５８０、５８１）を送信する様に構成され、
前記他の制御メッセージ（５８０、５８１）は、前記他の通信デバイス（１０１ａ−１〜１０１ａ−３、１０１ｂ−１、１０１ｂ−２）に、前記チャネル（２８０）上の前記無線リソース（２２１、２２２、２２３）の前記時間−周波数リソースブロック（２１５）での送信の停止を指示し、
前記他の制御メッセージ（５８０、５８１）は、前記通信デバイス（１０１ａ−１〜１０１ａ−３、１０１ｂ−１、１０１ｂ−２）に、前記チャネル（２８０）上の前記無線リソース（２２１、２２２、２２３）の前記時間−周波数リソースブロック（２１５）を使用して前記第１クラスのデータの前記データパケット（４９１）を送信することを指示し、
前記少なくとも１つのプロセッサ（１８０１）は、ブロードキャスト送信（１８０）で、前記通信デバイス（１０１ａ−１〜１０１ａ−３、１０１ｂ−１、１０１ｂ−２）及び前記他の通信デバイス（１０１ａ−１〜１０１ａ−３、１０１ｂ−１、１０１ｂ−２）に、前記無線インタフェース（１８０２）を介して前記他の制御メッセージ（５８０、５８１）を送信する様に構成される、アクセスノード。
【請求項３０】
請求項２９に記載のアクセスノード（１０２）であって、
前記少なくとも１つのプロセッサ（１８０１）は、ユニキャスト送信（１９０）で、前記通信デバイス（１０１ａ−１〜１０１ａ−３、１０１ｂ−１、１０１ｂ−２）から前記無線インタフェース（１８０２）を介して前記制御メッセージ（５８０、５８１）を受信する様に構成される、アクセスノード。
【請求項３１】
請求項２９又は３０に記載のアクセスノード（１０２）であって、
前記少なくとも１つのプロセッサ（１８０１）は、ユニキャスト送信（１９０）又はブロードキャスト送信（１８０）で、前記無線インタフェース（１８０２）を介して、前記通信デバイス（１０１ａ−１〜１０１ａ−３、１０１ｂ−１、１０１ｂ−２）及び前記他の通信デバイス（１０１ａ−１〜１０１ａ−３、１０１ｂ−１、１０１ｂ−２）に、前記無線リソース（２２１、２２２、２２３）を事前に示すスケジュール制御メッセージ（５７１）を送信する様に構成される、アクセスノード。
【請求項３２】
請求項２９から３１のいずれか１項に記載のアクセスノード（１０２）であって、
前記無線リソース（２２１、２２２、２２３）は、前記第１クラスのデータのために予約された、前記チャネル（２８０）上の第１無線リソース（２２１）を含み、さらに、第２クラスのデータのために予約された、前記チャネル（２８０）上の第２無線リソース（２２１）を含み、
前記他の制御メッセージ（５８０、５８１）は、前記他の通信デバイス（１０１ａ−１〜１０１ａ−３、１０１ｂ−１、１０１ｂ−２）に、前記チャネル（２８０）上の前記第１無線リソース（２２１）の前記示された時間−周波数リソースブロック（２１５）での前記第２クラスのデータの送信の停止を指示する、アクセスノード。
【請求項３３】
請求項２９から３２のいずれか１項に記載のアクセスノード（１０２）であって、
前記少なくとも１つのプロセッサ（１８０１）は、さらに、前記通信デバイス（１０１ａ−１〜１０１ａ−３、１０１ｂ−１、１０１ｂ−２）から前記無線インタフェース（１８０２）を介して能力制御メッセージ（５７０）を受信する様に構成され、前記能力制御メッセージ（５７０）は、前記第１クラスのデータを生成して送信するための前記通信デバイス（１０１ａ−１〜１０１ａ−３、１０１ｂ−１、１０１ｂ−２）の能力を示し、さらに、第２クラスのデータを生成して送信するための前記通信デバイス（１０１ａ−１〜１０１ａ−３、１０１ｂ−１、１０１ｂ−２）の能力を示し、
前記少なくとも１つのプロセッサ（１８０１）は、さらに、前記他の通信デバイス（１０１ａ−１〜１０１ａ−３、１０１ｂ−１、１０１ｂ−２）から前記無線インタフェース（１８０２）を介して他の能力制御メッセージ（５７０）を受信する様に構成され、前記他の能力制御メッセージ（５７０）は、前記第１クラスのデータを生成して送信するための前記他の通信デバイス（１０１ａ−１〜１０１ａ−３、１０１ｂ−１、１０１ｂ−２）の能力を示し、さらに、前記第２クラスのデータを生成して送信するための前記他の通信デバイス（１０１ａ−１〜１０１ａ−３、１０１ｂ−１、１０１ｂ−２）の能力を示し、
前記少なくとも１つのプロセッサ（１８０１）は、さらに、前記能力制御メッセージ（５７０）が、前記第１クラスのデータを生成して送信する前記通信デバイス（１０１ａ−１〜１０１ａ−３、１０１ｂ−１、１０１ｂ−２）の前記能力を肯定的に示し、前記他の能力制御メッセージ（５７０）が、前記第１クラスのデータを生成して送信する前記他の通信デバイス（１０１ａ−１〜１０１ａ−３、１０１ｂ−１、１０１ｂ−２）の前記能力を否定的に示し、さらに、前記第２クラスのデータを生成して送信する前記他の通信デバイス（１０１ａ−１〜１０１ａ−３、１０１ｂ−１、１０１ｂ−２）の前記能力を肯定的に示す場合、前記通信デバイス（１０１ａ−１〜１０１ａ−３、１０１ｂ−１、１０１ｂ−２）及び前記他の通信デバイス（１０１ａ−１〜１０１ａ−３、１０１ｂ−１、１０１ｂ−２）への前記無線リソース（２２１、２２２、２２３）の前記事前の割り当てを、共有する方法で、選択的に実行する様に構成される、アクセスノード。
【請求項３４】
請求項３２又は３３に記載のアクセスノード（１０２）であって、
前記第１クラスのデータは、イベントトリガデータに対応し、
前記第２クラスのデータは、ベストエフォートデータに対応する、アクセスノード。
【請求項３５】
請求項３２から３４のいずれか１項に記載のアクセスノード（１０２）であって、
前記第１クラスのデータは、前記第２クラスのデータより高い送信優先度を有する、アクセスノード。
【請求項３６】
方法であって、
少なくとも１つのプロセッサ（１８０１）が、無線ネットワーク（１００）のチャネル（２８０）上において、共有する方法で、少なくとも第１クラスのデータのために予約された無線リソース（２２１、２２２、２２３）を、通信デバイス（１０１ａ−１〜１０１ａ−３、１０１ｂ−１、１０１ｂ−２）と、他の通信デバイス（１０１ａ−１〜１０１ａ−３、１０１ｂ−１、１０１ｂ−２）に事前に割り当てることと、
前記少なくとも１つのプロセッサ（１８０１）が、前記無線リソース（２２１、２２２、２２３）を使用して前記第１クラスのデータのデータパケット（４９１）を前記通信デバイス（１０１ａ−１〜１０１ａ−３、１０１ｂ−１、１０１ｂ−２）が送信する必要性を事前に示す制御メッセージ（５８０、５８１）を、無線インタフェース（１８０２）を介して前記通信デバイス（１０１ａ−１〜１０１ａ−３、１０１ｂ−１、１０１ｂ−２）から受信することと、
前記少なくとも１つのプロセッサ（１８０１）が、前記通信デバイス（１０１ａ−１〜１０１ａ−３、１０１ｂ−１、１０１ｂ−２）による前記第１クラスのデータの前記データパケット（４９１）の前記送信のための前記無線リソース（２２１、２２２、２２３）の時間−周波数リソースブロック（２１５）を選択することと、
前記少なくとも１つのプロセッサ（１８０１）が、前記無線インタフェース（１８０２）を介して、前記通信デバイス（１０１ａ−１〜１０１ａ−３、１０１ｂ−１、１０１ｂ−２）及び前記他の通信デバイス（１０１ａ−１〜１０１ａ−３、１０１ｂ−１、１０１ｂ−２）に、前記無線リソース（２２１、２２２、２２３）の前記選択された時間−周波数リソースブロック（２１５）を示す他の制御メッセージ（５８０、５８１）を送信することと、を含み、
前記他の制御メッセージ（５８０、５８１）は、前記他の通信デバイス（１０１ａ−１〜１０１ａ−３、１０１ｂ−１、１０１ｂ−２）に、前記チャネル（２８０）上の前記無線リソース（２２１、２２２、２２３）の前記時間−周波数リソースブロック（２１５）での送信の停止を指示し、
前記他の制御メッセージ（５８０、５８１）は、前記通信デバイス（１０１ａ−１〜１０１ａ−３、１０１ｂ−１、１０１ｂ−２）に、前記チャネル（２８０）上の前記無線リソース（２２１、２２２、２２３）の前記時間−周波数リソースブロック（２１５）を使用して前記第１クラスのデータの前記データパケット（４９１）を送信することを指示し、
前記少なくとも１つのプロセッサ（１８０１）は、ブロードキャスト送信（１８０）で、前記通信デバイス（１０１ａ−１〜１０１ａ−３、１０１ｂ−１、１０１ｂ−２）及び前記他の通信デバイス（１０１ａ−１〜１０１ａ−３、１０１ｂ−１、１０１ｂ−２）に、前記無線インタフェース（１８０２）を介して前記他の制御メッセージ（５８０、５８１）を送信する、方法。
【請求項３７】
請求項３６に記載の方法であって、
前記少なくとも１つのプロセッサ（１８０１）は、ユニキャスト送信（１９０）で、前記通信デバイス（１０１ａ−１〜１０１ａ−３、１０１ｂ−１、１０１ｂ−２）から前記無線インタフェース（１８０２）を介して前記制御メッセージ（５８０、５８１）を受信する、方法。
【請求項３８】
請求項３６又は３７に記載の方法であって、
前記少なくとも１つのプロセッサ（１８０１）が、前記無線インタフェース（１８０２）を介して、ユニキャスト送信（１９０）又はブロードキャスト送信（１８０）で、前記通信デバイス（１０１ａ−１〜１０１ａ−３、１０１ｂ−１、１０１ｂ−２）及び前記他の通信デバイス（１０１ａ−１〜１０１ａ−３、１０１ｂ−１、１０１ｂ−２）に、前記無線リソース（２２１、２２２、２２３）を事前に示すスケジュール制御メッセージ（５７１）を送信することを含む、方法。
【請求項３９】
請求項３６から３８のいずれか１項に記載の方法であって、
前記無線リソース（２２１、２２２、２２３）は、前記第１クラスのデータのために予約された、前記チャネル（２８０）上の第１無線リソース（２２１）を含み、さらに、第２クラスのデータのために予約された、前記チャネル（２８０）上の第２無線リソース（２２１）を含み、
前記他の制御メッセージ（５８０、５８１）は、前記他の通信デバイス（１０１ａ−１〜１０１ａ−３、１０１ｂ−１、１０１ｂ−２）に、前記チャネル（２８０）上の前記第１無線リソース（２２１）の前記示された時間−周波数リソースブロック（２１５）での前記第２クラスのデータの送信の停止を指示する、方法。
【請求項４０】
請求項３６から３９のいずれか１項に記載の方法であって、
前記少なくとも１つのプロセッサ（１８０１）が、前記通信デバイス（１０１ａ−１〜１０１ａ−３、１０１ｂ−１、１０１ｂ−２）から前記無線インタフェース（１８０２）を介して、前記第１クラスのデータを生成して送信するための前記通信デバイス（１０１ａ−１〜１０１ａ−３、１０１ｂ−１、１０１ｂ−２）の能力を示し、さらに、第２クラスのデータを生成して送信するための前記通信デバイス（１０１ａ−１〜１０１ａ−３、１０１ｂ−１、１０１ｂ−２）の能力を示す、能力制御メッセージ（５７０）を受信することと、
前記少なくとも１つのプロセッサ（１８０１）が、前記他の通信デバイス（１０１ａ−１〜１０１ａ−３、１０１ｂ−１、１０１ｂ−２）から前記無線インタフェース（１８０２）を介して、前記第１クラスのデータを生成して送信するための前記他の通信デバイス（１０１ａ−１〜１０１ａ−３、１０１ｂ−１、１０１ｂ−２）の能力を示し、さらに、前記第２クラスのデータを生成して送信するための前記他の通信デバイス（１０１ａ−１〜１０１ａ−３、１０１ｂ−１、１０１ｂ−２）の能力を示す、他の能力制御メッセージ（５７０）を受信することと、を含み、
前記少なくとも１つのプロセッサ（１８０１）は、前記能力制御メッセージ（５７０）が、前記第１クラスのデータを生成して送信する前記通信デバイス（１０１ａ−１〜１０１ａ−３、１０１ｂ−１、１０１ｂ−２）の前記能力を肯定的に示し、前記他の能力制御メッセージ（５７０）が、前記第１クラスのデータを生成して送信する前記他の通信デバイス（１０１ａ−１〜１０１ａ−３、１０１ｂ−１、１０１ｂ−２）の前記能力を否定的に示し、さらに、前記第２クラスのデータを生成して送信する前記他の通信デバイス（１０１ａ−１〜１０１ａ−３、１０１ｂ−１、１０１ｂ−２）の前記能力を肯定的に示す場合、前記通信デバイス（１０１ａ−１〜１０１ａ−３、１０１ｂ−１、１０１ｂ−２）及び前記他の通信デバイス（１０１ａ−１〜１０１ａ−３、１０１ｂ−１、１０１ｂ−２）への第１無線リソースの前記事前の割り当てを、共有する方法で、選択的に実行する、方法。
【請求項４１】
請求項３９又は４０に記載の方法であって、
前記第１クラスのデータは、イベントトリガデータに対応し、
前記第２クラスのデータは、ベストエフォートデータに対応する、方法。
【請求項４２】
請求項３９から４１のいずれか１項に記載の方法であって、
前記第１クラスのデータは、前記第２クラスのデータより高い送信優先度を有する、方法。
【請求項４３】
第１通信デバイス（１０１ａ−１〜１０１ａ−３、１０１ｂ−１、１０１ｂ−２）であって、
無線ネットワーク（１００）のチャネル（２８０）上でデータを送受信する様に構成された無線インタフェース（１７０２）と、
第１クラスのデータために予約された、前記チャネル（２８０）上の第１無線リソース（２２１）を示し、さらに、第２クラスのデータために予約された、前記チャネル（２８０）上の第２無線リソース（２２２）を示す情報を格納する様に構成されたメモリ（１７０４）であって、前記第１無線リソース（２２１）は、前記第１通信デバイス（１０１ａ−１〜１０１ａ−３、１０１ｂ−１、１０１ｂ−２）と第２通信デバイス（１０１ａ−１〜１０１ａ−３、１０１ｂ−１、１０１ｂ−２）との間で共有される、前記メモリ（１７０４）と、
を含む、前記第１通信デバイス（１０１ａ−１〜１０１ａ−３、１０１ｂ−１、１０１ｂ−２）と、
第２通信デバイス（１０１ａ−１〜１０１ａ−３、１０１ｂ−１、１０１ｂ−２）であって、
無線ネットワーク（１００）の前記チャネル（２８０）上でデータを送受信する様に構成された無線インタフェース（１７０２）と、
前記第１クラスのデータのために予約された前記チャネル（２８０）上の前記第１無線リソース（２２１）を示す情報を格納する様に構成されたメモリ（１７０４）と、
前記第２通信デバイス（１０１ａ−１〜１０１ａ−３、１０１ｂ−１、１０１ｂ−２）の前記無線インタフェース（１７０２）を介して制御メッセージ（５８０、５８１）を送信する様に構成された少なくとも１つのプロセッサ（１７０１）であって、前記制御メッセージ（５８０、５８１）は、前記第１無線リソース（２２１）を使用する前記第１クラスのデータのデータパケット（４９１）の送信の必要性を事前に示し、前記チャネル（２８０）上の前記第１無線リソース（２２１）の前記示された時間−周波数リソースブロック（２１５）での前記第１通信デバイス（１０１ａ−１〜１０１ａ−３、１０１ｂ−１、１０１ｂ−２）の送信の停止を指示する、前記少なくとも１つのプロセッサ（１７０１）と、
を含む、前記第２通信デバイス（１０１ａ−１〜１０１ａ−３、１０１ｂ−１、１０１ｂ−２）を備え、
前記第１通信デバイス（１０１ａ−１〜１０１ａ−３、１０１ｂ−１、１０１ｂ−２）は、さらに、前記第１通信デバイス（１０１ａ−１〜１０１ａ−３、１０１ｂ−１、１０１ｂ−２）の前記無線インタフェース（１７０２）を介して、前記制御メッセージ（５８０、５８１）を受信する様に構成された少なくとも１つのプロセッサ（１７０１）を含み、
前記第１通信デバイス（１０１ａ−１〜１０１ａ−３、１０１ｂ−１、１０１ｂ−２）の前記少なくとも１つのプロセッサ（１７０１）は、さらに、前記第２無線リソース（２２２）の前記チャネル（２８０）上でのトラフィック負荷と、さらに、前記第１無線リソース（２２１）の前記示された時間−周波数リソースブロック（２１５）に応じて、前記第２クラスのデータの前記データパケット（４９２）の前記送信のために、前記第１無線リソース（２２２１）及び前記第２無線リソース（２２２）から選択する様に構成され、
前記第１通信デバイス（１０１ａ−１〜１０１ａ−３、１０１ｂ−１、１０１ｂ−２）の前記少なくとも１つのプロセッサ（１７０１）は、さらに、前記制御メッセージ（５８０、５８１）の前記受信に応答して、前記チャネル（２８０）上の前記第１無線リソース（２２１）の前記示された時間−周波数リソーブロック（２１５）における送信を停止させる様に前記無線インタフェース（１７０２）を制御する様に構成され、
前記第１通信デバイス（１０１ａ−１〜１０１ａ−３、１０１ｂ−１、１０１ｂ−２）の前記少なくとも１つのプロセッサ（１７０１）は、前記第１無線リソース（２２１）が選択された場合、前記無線インタフェース（１７０２）を介して前記チャネル（２８０）上で、前記第１無線リソース（２２１）を使用して前記第２クラスのデータの前記データパケット（４９２）を送信する様に構成され、
前記第２通信デバイス（１０１ａ−１〜１０１ａ−３、１０１ｂ−１、１０１ｂ−２）の前記少なくとも１つのプロセッサ（１７０１）は、さらに、前記無線インタフェース（１７０２）を介して前記チャネル（２８０）上で、前記第１無線リソース（２２１）を使用して前記第１クラスのデータの前記データパケット（４９１）を送信する様に構成され、
前記第１通信デバイスは、請求項１から７のいずれか１項に記載の通信デバイスにより構成され、
前記第２通信デバイスは、請求項１５から２１のいずれか１項に記載の通信デバイスにより構成される、システム。
【発明の詳細な説明】
【技術分野】
【０００１】
種々の実施形態は、通信デバイス、無線ネットワークのアクセスノード及びシステムに関する。特に、種々の技術は、無線ネットワークにおけるリソース割り当てに関する。少なくとも第１クラスのデータのために予約された無線リソースを利用しての第１クラスのデータのデータパケットの送信の必要性がシグナリングされる。
【背景技術】
【０００２】
産業上のアプリケーションに使用される無線ネットワーク技術が存在する。１つの例示的な技術は、米国電気電子学会のＩＥＥＥ８０２．１５．４−２００６で規定される無線ＨＡＲＴである。他の例は、国際計測制御学会（ＩＳＡ）のＩＳＡ１００．１１ａ"Ｗｉｒｅｌｅｓｓ  Ｓｙｓｔｅｍｓ  ｆｏｒ    Ｉｎｄｕｓｔｒｉａｌ  Ａｕｔｏｍａｔｉｏｎ：Ｐｒｏｃｅｓ  Ｃｏｎｔｒｏｌ  ａｎｄ  Ｒｅｌａｔｅｄ  Ａｐｐｌｉｃａｔｉｏｎｓ"である。
【発明の概要】
【発明が解決しようとする課題】
【０００３】
その様な既存技術は、ある制限に苦しめられている。例えば、高い信頼性での送信と、低遅延の送信の両方を提供できない、或いは、制限された程度でのみしか提供できない。特に、送信のために、異なる優先度の複数のクラスのデータを提供することが要求されるシナリオでは、その様な既存技術は、送信信頼性及び送信遅延の点で、ある種の制限及び欠点に直面する。
【課題を解決するための手段】
【０００４】
よって、上述した制限及び欠点の少なくとも幾つかを緩和する技術を提供する必要性が存在する。この必要性は、独立項の特徴により達成される。従属項は、実施形態を定義する。
【０００５】
種々の実施形態によると、通信デバイスが提供される。通信デバイスは、無線インタフェースを含む。無線インタフェースは、無線ネットワークのチャネル上でデータを送受信する様に構成される。通信デバイスは、さらに、メモリを有する。メモリは、チャネル上の無線リソースを示す情報を格納する様に構成される。無線リソースは、第１クラスのデータのためと、第２クラスのデータのために予約される。無線リソースは、当該通信デバイスと、他の通信デバイスで共有される。通信デバイスは、さらに、少なくとも１つのプロセッサを有する。少なくとも１つのプロセッサは、無線インタフェースを介して、制御メッセージを受信する様に構成される。制御メッセージは、無線リソースの時間−周波数リソースブロックを事前に表示する。制御メッセージは、さらに、通信デバイスに、チャネル上の無線リソースの示された時間−周波数ブロックにおける送信の停止を指示する。少なくとも１つのプロセッサは、メモリから、格納された情報を読み出す様に構成される。少なくとも１つのプロセッサは、さらに、制御メッセージの受信に応答して、チャネル上の無線リソースの、示された時間−周波数リソースブロックにおける送信を停止させる様に無線インタフェースを制御する様に構成される。
【０００６】
種々の実施形態によると、通信デバイスが提供される。通信デバイスは、無線インタフェースを含む。無線インタフェースは、無線ネットワークのチャネル上でデータを送受信する様に構成される。通信デバイスは、さらに、メモリを有する。メモリは、情報を格納する様に構成される。情報は、チャネル上の第１無線リソースを示す。第１無線リソースは、第１クラスのデータのために予約される。情報は、さらに、チャネル上の第２無線リソースを示す。第２無線リソースは、第２クラスのデータのために予約される。第１無線リソースは、当該通信デバイスと、他の通信デバイスで共有される。通信デバイスは、さらに、少なくとも１つのプロセッサを有する。少なくとも１つのプロセッサは、メモリから、格納された情報を読み出し、第２クラスのデータのデータパケットの送信のために、第１無線リソースと第２無線リソースから選択する様に構成される。選択は、第２無線リソースのチャネルのトラフィック負荷に依存する。少なくとも１つのプロセッサは、第１無線リソースが選択された場合、無線インタフェースを介してチャネル上で、第１無線リソースを使用して第２クラスのデータのデータパケットを送信する様に構成される。
【０００７】
種々の実施形態によると、方法が提供される。方法は、メモリが、無線ネットワークのチャネル上の無線リソースを示す情報を格納することを含む。無線リソースは、第１クラスのデータのためと、第２クラスのデータのために予約される。無線リソースは、通信デバイスと、他の通信デバイスで共有される。方法は、さらに、少なくとも１つのプロセッサが、無線インタフェースを介して、制御メッセージを受信することを含む。制御メッセージは、無線リソースの時間−周波数リソースブロックを事前に示す。制御メッセージは、さらに、通信デバイスに、チャネル上の示された時間−周波数リソースブロックでの送信の停止を指示する。方法は、さらに、少なくとも１つのプロセッサが、メモリから、格納された情報を読み出すことを含む。方法は、さらに、少なくとも１つのプロセッサが、制御メッセージの受信に応答して、チャネルの示された時間−周波数リソースブロックにおける送信を停止させる様に無線インタフェースを制御することを含む。
【０００８】
種々の実施形態によると、方法が提供される。方法は、メモリが、情報を格納することを含む。情報は、無線ネットワークのチャネルの第１無線リソースを示す。第１無線リソースは、第１クラスのデータのために予約される。情報は、さらに、チャネルの第２無線リソースを示す。第２無線リソースは、第２クラスのデータのために予約される。第１無線リソースは、通信デバイスと、他の通信デバイスで共有される。方法は、さらに、少なくとも１つのプロセッサが、メモリから、格納された情報を読み出し、第２クラスのデータのデータパケットの送信のために、第１無線リソースと第２無線リソースから選択すること含む。選択は、第２無線リソースのチャネルのトラフィック負荷に依存する。方法は、少なくとも１つのプロセッサが、第１無線リソースが選択された場合、無線インタフェースを介してチャネル上で、第１無線リソースを使用して第２クラスのデータのデータパケットを送信することを含む。
【０００９】
種々の実施形態によると、通信デバイスが提供される。通信デバイスは、無線インタフェースを含む。無線インタフェースは、無線ネットワークのチャネル上でデータを送受信する様に構成される。通信デバイスは、さらに、メモリを有する。メモリは、チャネルの無線リソースを示す情報を格納する様に構成される。無線リソースは、少なくとも第１クラスのデータのために予約される。無線リソースは、当該通信デバイスと、他の通信デバイスで共有される。通信デバイスは、さらに、少なくとも１つのプロセッサを有する。少なくとも１つのプロセッサは、無線インタフェースを介して、制御メッセージを送信する様に構成される。制御メッセージは、無線リソースを使用して第１クラスのデータのデータパケットを送信する必要性を事前に示す。少なくとも１つのプロセッサは、さらに、無線インタフェースを介してチャネル上で、無線リソースを使用して第１クラスのデータのデータパケットを送信する様に構成される。
【００１０】
種々の実施形態によると、方法が提供される。方法は、メモリが、無線ネットワークのチャネル上の無線リソースを示す情報を格納することを含む。無線リソースは、少なくとも第１クラスのデータのために予約される。無線リソースは、当該通信デバイスと、他の通信デバイスで共有される。方法は、さらに、少なくとも１つのプロセッサが、無線インタフェースを介して、制御メッセージを送信することを含む。制御メッセージは、無線リソースを使用して第１クラスのデータのデータパケットを通信デバイスが送信する必要性を事前に示す。方法は、さらに、少なくとも１つのプロセッサが、無線インタフェースを介してチャネル上で、無線リソースを使用して第１クラスのデータのデータパケットを送信することを含む。
【００１１】
種々の実施形態によると、無線ネットワークのアクセスノードが提供される。アクセスノードは、無線インタフェースを含む。無線インタフェースは、無線ネットワークのチャネル上でデータを送受信する様に構成される。アクセスノードは、さらに、チャネルを共有する方法で、無線リソースを事前に割り当てる様に構成された少なくとも１つのプロセッサを含む。無線リソースは、少なくとも、通信デバイスと他の通信デバイスに対し第１クラスのデータのために予約される。少なくとも１つのプロセッサは、さらに、通信デバイスから無線インタフェースを介して、制御メッセージを受信する様に構成される。制御メッセージは、無線リソースを使用して第１クラスのデータのデータパケットを通信デバイスが送信する必要性を事前に示す。少なくとも１つのプロセッサは、通信デバイスによる第１クラスのデータのデータパケットの送信のための無線リソースの時間−周波数リソースブロックを選択する様に構成される。少なくとも１つのプロセッサは、さらに、無線インタフェースを介して通信デバイス及び他の通信デバイスに、他の制御メッセージを送信する様に構成される。他の制御メッセージは、無線リソースの選択された時間−周波数リソースブロックを示す。他の制御メッセージは、さらに、他の通信デバイスに、チャネル上の無線リソースの時間−周波数リソースでの送信の停止を指示する。他の制御メッセージは、通信デバイスに、チャネル上の無線リソースの時間−周波数リソースブロックを使用して第１クラスのデータのデータパケットの送信を指示する。
【００１２】
種々の実施形態によると、方法が提供される。方法は、少なくとも１つのプロセッサが、無線ネットワークのチャネルを共有する方法で、無線リソースを事前に割り当てることを含む。無線リソースは、少なくとも、通信デバイスと他の通信デバイスに対して第１クラスのデータのために予約される。方法は、さらに、少なくとも１つのプロセッサが、通信デバイスから無線インタフェースを介して、制御メッセージを受信することを含む。制御メッセージは、無線リソースを使用して第１クラスのデータのデータパケットを通信デバイスが送信する必要性を事前に示す。方法は、さらに、少なくとも１つのプロセッサが、通信デバイスによる第１クラスのデータのデータパケットの送信のための無線リソースの時間−周波数リソースブロックを選択することを含む。方法は、さらに、少なくとも１つのプロセッサが、無線インタフェースを介して通信デバイス及び他の通信デバイスに、他の制御メッセージを送信することを含む。他の制御メッセージは、無線リソースの選択された時間−周波数リソースブロックを示す。他の制御メッセージは、さらに、他の通信デバイスに、チャネル上の無線リソースの時間−周波数リソースブロックでの送信の停止を指示する。他の制御メッセージは、さらに、通信デバイスに、チャネル上の無線リソースの時間−周波数リソースブロックを使用して第１クラスのデータのデータパケットの送信を指示する。
【００１３】
種々の実施形態によると、システムが提供される。システムは、第１通信デバイスと第２通信デバイスとを備えている。第１通信デバイスは、無線インタフェースと、メモリと、少なくとも１つのプロセッサと、を備えている。第１通信デバイスの無線インタフェースは、無線ネットワークのチャネル上でデータを送受信する様に構成される。第１通信デバイスのメモリは、チャネル上の第１無線リソースと、さらに、チャネル上の第２無線リソースとを示す情報を格納する様に構成される。第１無線リソースは、第１クラスのデータのために予約される。第２無線リソースは、第２クラスのデータのために予約される。第１無線リソースは、第１通信デバイスと、第２通信デバイスで共有される。第２通信デバイスは、無線インタフェースと、メモリと、少なくとも１つのプロセッサと、を備えている。第２通信デバイスの無線インタフェースは、無線ネットワークのチャネル上でデータを送受信する様に構成される。第２通信デバイスのメモリは、第１無線リソースを示す情報を格納する様に構成される。第２通信デバイスの少なくとも１つのプロセッサは、第２通信デバイスの無線インタフェースを介して、制御メッセージを送信する様に構成される。制御メッセージは、第１無線リソースを使用して第１クラスのデータのデータパケットを送信する必要性を事前に示す。制御メッセージは、さらに、第１通信デバイスに、チャネル上の無線リソースの示された時間−周波数リソースブロックでの送信の停止を指示する。第１通信デバイスの少なくとも１つのプロセッサは、第１通信デバイスの無線インタフェースを介して、チャネル上で制御メッセージを送信する様に構成される。第１通信デバイスの少なくとも１つのプロセッサは、さらに、第２無線リソースのチャネルのトラフィック負荷と、さらに、第１無線リソースの示された時間−周波数リソースブロックに応じて、第２クラスのデータのデータパケットの送信のために、第１無線リソースと第２無線リソースから選択する様に構成される。第１通信デバイスの少なくとも１つのプロセッサは、さらに、制御メッセージの受信に応答して、チャネル上の第１無線リソースの示された時間−周波数ブロックにおける送信を停止させる様に無線インタフェースを制御する様に構成される。第１通信デバイスの少なくとも１つのプロセッサは、第１無線リソースが選択された場合、無線インタフェースを介してチャネル上で、第１無線リソースを使用して第２クラスのデータのデータパケットを送信する様に構成される。第２通信デバイスの少なくとも１つのプロセッサは、さらに、無線インタフェースを介してチャネル上で、無線リソースの第１クラスを使用して第１クラスのデータのデータパケットを送信する様に構成される。
【００１４】
種々の実施形態によると、コンピュータプログラム製品が提供される。コンピュータプログラム製品は、無線ネットワークのネットワークデバイスの少なくとも１つのプロセッサで実行されるプログラムコードを含み、プログラムコードの実行により、少なくとも１つプロセッサは、無線ネットワークのチャネル上の無線リソースを示す情報をメモリに格納させる制御を含む方法を実行する。無線リソースは、第１クラスのデータのためと、第２クラスのデータのために予約される。無線リソースは、通信デバイスと、他の通信デバイスで共有される。方法は、さらに、無線インタフェースを介して、少なくとも１つのプロセッサが制御メッセージを受信することを含む。制御メッセージは、無線リソースの時間−周波数リソースブロックを事前に示す。制御メッセージは、さらに、通信デバイスに、チャネル上の示された時間−周波数リソースブロックでの送信の停止を指示する。方法は、さらに、少なくとも１つのプロセッサが、メモリから、格納された情報を読み出すことを含む。方法は、さらに、制御メッセージの受信に応答して、チャネル上の示された時間−周波数ブロックにおける送信を停止させる様に、少なくとも１つのプロセッサが無線インタフェースを制御することを含む。
【００１５】
種々の実施形態によると、コンピュータプログラム製品が提供される。コンピュータプログラム製品は、無線ネットワークのネットワークデバイスの少なくとも１つのプロセッサで実行されるプログラムコードを含み、プログラムコードの実行により、少なくとも１つプロセッサは、情報をメモリに格納させる制御を含む方法を実行する。情報は、無線ネットワークのチャネルの第１無線リソースを示す。第１無線リソースは、第１クラスのデータのために予約される。情報は、さらに、チャネル上の第２無線リソースを示す。第２無線リソースは、第２クラスのデータのために予約される。第１無線リソースは、通信デバイスと、他の通信デバイスで共有される。方法は、さらに、少なくとも１つのプロセッサが、メモリから、格納された情報を読み出し、第２クラスのデータのデータパケットの送信のために、第１無線リソースと第２無線リソースから選択することを含む。選択は、第２無線リソースのチャネルのトラフィック負荷に依存する。方法は、第１無線リソースが選択された場合、少なくとも１つのプロセッサが、無線インタフェースを介してチャネル上で、第１無線リソースを使用して第２クラスのデータのデータパケットを送信することを含む。
【００１６】
種々の実施形態によると、コンピュータプログラム製品が提供される。コンピュータプログラム製品は、無線ネットワークのネットワークデバイスの少なくとも１つのプロセッサで実行されるプログラムコードを含み、プログラムコードの実行により、少なくとも１つプロセッサは、無線ネットワークのチャネルを、共有する方法で、少なくとも１つプロセッサが無線リソースを事前に割り当てることを含む方法を実行する。無線リソースは、少なくとも、通信デバイスと他の通信デバイスに対して第１クラスのデータのために予約される。方法は、さらに、少なくとも１つのプロセッサが、通信デバイスから無線インタフェースを介して、制御メッセージを受信することを含む。制御メッセージは、無線リソースを使用して第１クラスのデータのデータパケットを通信デバイスが送信する必要性を事前に示す。方法は、さらに、少なくとも１つのプロセッサが、通信デバイスによる第１クラスのデータのデータパケットの送信のための無線リソースの時間−周波数リソースブロックを選択することを含む。方法は、さらに、少なくとも１つのプロセッサが、無線インタフェースを介して通信デバイス及び他の通信デバイスに、他の制御メッセージを送信することを含む。他の制御メッセージは、無線リソースの選択された時間−周波数リソースブロックを示す。他の制御メッセージは、さらに、他の通信デバイスに、チャネルの無線リソースの時間−周波数リソースブロックでの送信の停止を指示する。他の制御メッセージは、さらに、通信デバイスに、チャネルの無線リソースの時間−周波数リソースブロックを使用して第１クラスのデータのデータパケットの送信を指示する。
【００１７】
種々の実施形態によると、コンピュータ可読記憶媒体が提供される。コンピュータ可読記憶媒体は、無線ネットワークのネットワークデバイスの少なくとも１つのプロセッサで実行されるプログラムコードを含み、プログラムコードの実行により、少なくとも１つプロセッサは、無線ネットワークのチャネルの無線リソースを示す情報をメモリに格納させる制御を含む方法を実行する。無線リソースは、第１クラスのデータのためと、第２クラスのデータのために予約される。無線リソースは、通信デバイスと、他の通信デバイスで共有される。方法は、さらに、無線インタフェースを介して、少なくとも１つのプロセッサが制御メッセージを受信することを含む。制御メッセージは、無線リソースの時間−周波数リソースブロックを事前に示す。制御メッセージは、さらに、通信デバイスに、チャネルの示された時間−周波数リソースブロックでの送信の停止を指示する。方法は、さらに、少なくとも１つのプロセッサが、メモリから、格納された情報を読み出すことを含む。方法は、さらに、少なくとも１つのプロセッサが、制御メッセージの受信に応答して、チャネルの示された時間−周波数リソースブロックにおける送信を停止させる様に無線インタフェースを制御することを含む。
【００１８】
種々の実施形態によると、コンピュータ可読記憶媒体が提供される。コンピュータ可読記憶媒体は、無線ネットワークのネットワークデバイスの少なくとも１つのプロセッサで実行されるプログラムコードを含み、プログラムコードの実行により、少なくとも１つプロセッサは、情報をメモリに格納させる制御を含む方法を実行する。情報は、無線ネットワークのチャネルの第１無線リソースを示す。第１無線リソースは、第１クラスのデータのために予約される。情報は、さらに、チャネルの第２無線リソースを示す。第２無線リソースは、第２クラスのデータのために予約される。第１無線リソースは、通信デバイスと、他の通信デバイスで共有される。方法は、さらに、少なくとも１つのプロセッサが、メモリから、格納された情報を読み出し、第２クラスのデータのデータパケットの送信のために、第１無線リソースと第２無線リソースから選択することを含む。選択は、第２無線リソースのチャネルのトラフィック負荷に依存する。方法は、さらに、少なくとも１つのプロセッサが、第１無線リソースが選択された場合、無線インタフェースを介してチャネル上で、第１無線リソースを使用して第２クラスのデータのデータパケットを送信することを含む。
【００１９】
種々の実施形態によると、コンピュータ可読記憶媒体が提供される。コンピュータ可読記憶媒体は、無線ネットワークのネットワークデバイスの少なくとも１つのプロセッサで実行されるプログラムコードを含み、プログラムコードの実行により、少なくとも１つプロセッサは、少なくとも１つプロセッサが無線ネットワークのチャネルを共有する方法で、無線リソースを事前に割り当てることを含む方法を実行する。無線リソースは、少なくとも、通信デバイスと他の通信デバイスに対して第１クラスのデータのために予約される。方法は、さらに、少なくとも１つのプロセッサが、通信デバイスから無線インタフェースを介して、制御メッセージを受信することを含む。制御メッセージは、無線リソースを使用して第１クラスのデータのデータパケットを通信デバイスが送信する必要性を事前に示す。方法は、さらに、少なくとも１つのプロセッサが、通信デバイスによる第１クラスのデータのデータパケットの送信のための無線リソースの時間−周波数リソースブロックを選択することを含む。方法は、さらに、少なくとも１つのプロセッサが、無線インタフェースを介して通信デバイス及び他の通信デバイスに、他の制御メッセージを送信することを含む。他の制御メッセージは、無線リソースの選択された時間−周波数リソースブロックを示す。他の制御メッセージは、さらに、他の通信デバイスに、チャネルの無線リソースの時間−周波数リソースブロックでの送信の停止を指示する。他の制御メッセージは、さらに、通信デバイスに、チャネルの無線リソースの時間−周波数リソースブロックを使用して第１クラスのデータのデータパケットの送信を指示する。
【００２０】
上述した特徴及び以下に説明する特徴は、示された各組み合わせそれぞれのみで使用されるのではなく、本発明の範囲から逸脱しない、他の組み合わせや、分離して使用することができることを理解すべきである。上述した態様及び実施形態の特徴は他の実施形態において組み合わせることができる。
【００２１】
本発明の前述した及び追加の特徴及び効果は、添付の図面と共に以下の詳細な説明を読むことで明らかになり、添付の図面において、同様の参照符号は、同様の要素を参照する。
【図面の簡単な説明】
【００２２】
【図１】種々の実施形態による、チャネル上でのユニキャスト送信及び／又はブロードキャスト送信による、第１クラスのデータ、つまり、イベントトリガデータと、第２クラスのデータ、つまり、ベストエフォートデータの送信をサポートする、アクセスノード及び複数の通信デバイスを含むクリティカルマシン型通信ネットワークを示す図。
【図２】種々の実施形態による、イベントトリガデータ及びベストエフォートデータそれぞれのために、チャネル上で予約された第１無線リソース及び第２無線リソースを示す図。
【図３】種々の実施形態による、少なくともイベントトリガデータと、オプションとしてベストエフォートデーのために、チャネル上で予約された無線リソースを示す図。
【図４】種々の実施形態による、通信デバイスの１つからアクセスノードへのユニキャスト送信によるイベントトリガデータのデータパケットの送信を示すシグナリング図。
【図５】種々の実施形態による、ブロードキャスト送信による、第１無線リソースを使用するイベントトリガデータのデータパケットの送信と、ブロードキャスト送信による、第１無線リソースを使用するベストエフォートデータのデータパケットの送信とを示すシグナリング図。
【図６】種々の実施形態による、ブロードキャスト送信による、第１無線リソースを使用するイベントトリガデータのデータパケットの送信と、ブロードキャスト送信による、第１無線リソースを使用するベストエフォートデータのデータパケットの送信とを示すシグナリング図。
【図７】種々の実施形態による、ブロードキャスト送信による、第１無線リソースを使用するイベントトリガデータのデータパケットの送信と、ブロードキャスト送信による、第１無線リソースを使用するベストエフォートデータのデータパケットの送信とを示すシグナリング図。
【図８】種々の実施形態による、ブロードキャスト送信による、第１無線リソースを使用するイベントトリガデータのデータパケットの送信と、ブロードキャスト送信による、第１無線リソースを使用するベストエフォートデータのデータパケットの送信とを示すシグナリング図。
【図９】種々の実施形態による、ブロードキャスト送信による、第１無線リソースを使用するイベントトリガデータのデータパケットの送信と、ブロードキャスト送信による、第１無線リソースを使用するベストエフォートデータのデータパケットの送信とを示すシグナリング図。
【図１０】種々の実施形態による、ブロードキャスト送信による、第１無線リソースを使用するイベントトリガデータのデータパケットの送信を示すシグナリング図。
【図１１】種々の実施形態による、ブロードキャスト送信による、第１無線リソースを使用するイベントトリガデータのデータパケットの送信を示すシグナリング図。
【図１２】種々の実施形態による、ブロードキャスト送信による、第１無線リソースを使用するイベントトリガデータのデータパケットの送信を示すシグナリング図。
【図１３】種々の実施形態による、方法のフローチャート。
【図１４】種々の実施形態による、方法のフローチャート。
【図１５】種々の実施形態による、方法のフローチャート。
【図１６】種々の実施形態による、方法のフローチャート。
【図１７】種々の実施形態による、通信デバイスを示す図。
【図１８】種々の実施形態による、アクセスノードを示す図。
【図１９】種々の実施形態による、方法のフローチャート。
【図２０】種々の実施形態による、方法のフローチャート。
【図２１】種々の実施形態による、制御メッセージを示す図。
【図２２】種々の実施形態による、制御メッセージを示す図。
【発明を実施するための形態】
【００２３】
以下では、本発明の実施形態について、図面を参照して詳細に説明する。以下の実施形態の記述は、限定を目的とするものではないことを理解すべきである。本発明の範囲を、以下に記述する実施形態や、図面により限定することは意図されておらず、単に説明のために使用される。
【００２４】
図面は、略図であり、図に示される要素は、必ずしもその大きさを示していない。むしろ、種々の要素は、それらの機能及び一般的な目的が当業者に明らかになる様に提示されている。図に示され、或いは、ここで記述される機能ブロック、デバイス、部品、他の物理的又は機能ユニット間の接続又は結合は、間接的な接続又は結合により実現され得る。部品間の結合は、無線接続上で確立され得る。機能ブロックは、ハードウェア、ファームウェア、ソフトウェア又はそれらの組み合わせで実現され得る。
【００２５】
以下、第１クラスのデータのデータトラフィックと、第２クラスのデータのデータトラフィックを、無線リソースを使用して送信可能にする技術について説明する。一般的に、無線リソースは、第１通信デバイスと第２通信デバイス、及び／又は、他の通信デバイスとの間で共有され得る（共有無線リソース）。この様に、チャネルは、通信デバイス間で共有され得る。第１クラスのデータは、第２クラスのデータより高い送信優先度を有する。送信優先度は、サービス品質（ＱｏＳ）の枠組みにより定義され、この様に、一般的に、第１クラスのデータのためのＱｏＳ要求は、第２クラスのデータより厳しい。本技術は、信頼性のある送信を達成でき、同時に、低遅延の送信を可能にする。よって、データパケットの損失の尤度は、比較的低くなり得る。
【００２６】
種々のシナリオによると、第１クラスのデータのデータパケットのシグナリングの必要性は、事前に示される。このシグナリングは、第１クラスのデータのために予約されているチャネルの無線リソースが、送信エンティティに利用可能である場合でも実行され得る。これは、例えば、第２クラスのデータといった、他のクラスのデータのデータパケットの送信のために、少なくとも第１クラスのデータに予約されている無線リソースを再利用することを可能にする。特に、第１クラスのデータのデータパケットが示されていない状況で再利用が可能になり、第１クラスのデータのデータパケットが送信されなければならない状況、つまり、第１クラスのデータのデータパケットを送信する必要性がある場合、事前に示すことにより、第２クラスのデータのデータパケットとの衝突が回避され得る。例えば、他の送信エンティティによる送信により、第１クラスのデータの他のデータパケットとの衝突も回避され得る。この様に、事前に示すことは、他のデバイスに、第１クラスのデータのデータパケットの存在を、先制して気づかせることを可能にし、他のデバイスによる送信を停止又はブロックすることを可能にする。
【００２７】
一般的に、上述した、及び、詳細を以下に説明するその様な技術は、例えば、第３世代パートナーシッププロジェクト（３ＧＰＰ）のロングタームエボリューション（ＬＴＥ）無線アクセス技術による、種々のネットワーク技術のアプリケーションにその詳細を見ることができる。幾つかのシナリオにおいて、その様な技術は、クリティカルマシン型通信（ＭＴＣ）ネットワークに適用され得る。
【００２８】
図１は、ＭＴＣネットワーク１００を示している。ＭＴＣネットワーク１００は、通信デバイス（ＵＥ）１０１ａ−１、１０１ａ−２、１０１ａ−３、１０１ｂ−１、１０１ｂ−２及びアクセスノード１０２と、を含む。アクセスノード１０２は、中心的にセルを確立する。ＭＴＣネットワーク１００は、図１のシナリオにおいては、単一の中央エキサイテッドセルを含むＭＴＣネットワーク１００として、産業オートメーションの中央集権システムとして参照され得る。セルのサイズは、約５０〜２５０メートルであり、好ましくは、約１００メートルであり得る。
【００２９】
図１のＭＴＣネットワーク１００は、３ＧＰＰのＬＴＥ無線アクセス技術又はその修正に依存している。以下、３ＧＰＰのＬＴＥ無線アクセス技術に依存するシナリオを主に参照するが、例えば、３ＧＰＰにより規定されるユニバーサル移動通信システム（ＵＭＴＳ）無線アクセス技術といった、他の無線アクセス技術を使用することも可能である。上述した様に、ＬＴＥ無線アクセス技術のある拡張技術を使用することができ、例えば、送信時間間隔、直交周波数分割多重シンボル長は、ＬＴＥ無線アクセス技術と比較し、種々の実施形態により適用されるアクセス技術において５又は１０のファクタでスケールダウンされ得る。
【００３０】
図１から、ＭＴＣネットワーク１００は、ブロードキャスト送信１８０（図１では、実線で示す）と、ユニキャスト送信１９０（図１では、点線で示す）との両方をサポートすることがわかる。ブロードキャスト送信１８０は、ポイントートゥーマルチポイント送信に関し、ユニキャスト送信１９０は、ポイントートゥーポイント送信に関する。ブロードキャスト送信１８０は、典型的には、ＭＴＣネットワーク１００を形成する総ての他のデバイスに向けられるが、ブロードキャスト送信１８０を、ＭＴＣネットワーク１００を形成する総てのデバイスの部分集合に向けることも可能である。
【００３１】
少なくともペイロードデータのユニキャスト送信１９０、及び／又は、ブロードキャスト送信１８０のために、ＵＥ１０１ａ−１、１０１ａ−２、１０１ａ−３、１０１ｂ−１、１０１ｂ−２及びアクセスノード１０２は、ＭＴＣネットワーク１００のチャネルを共有する。チャネルは、時間及び／又は周波数で定義される、時間−周波数リソースブロックを含み得る。一般的に、チャネルは、アップリンク（ＵＬ）チャネルであり得る。３ＧＰＰのＬＴＥ無線アクセス技術の場合、チャネルは、ユーザプレーンデータ又は高次レイヤプロトコルのペイロードデータを送信するために使用される物理ＵＬ共有チャネル（ＰＵＳＣＨ）に対応し得る。
【００３２】
制御メッセージのユニキャスト送信１９０、及び／又は、ブロードキャスト送信１８０のため、ＭＴＣネットワーク１００は、少なくとも１つの専用制御チャネルを提供し得る。制御チャネルは、ＵＥ１０１ａ−１、１０１ａ−２、１０１ａ−３、１０１ｂ−１、１０１ｂ−２のそれぞれに、一意に割り当てられ得る。よって、制御メッセージを送信する、異なるＵＥ１０１ａ−１、１０１ａ−２、１０１ａ−３、１０１ｂ−１、１０１ｂ−２間での衝突は回避され得る。しかしながら、代わりに、又は、加えて、制御チャネルを、１つ以上のＵＥ１０１ａ−１、１０１ａ−２、１０１ａ−３、１０１ｂ−１、１０１ｂ−２に割り当てた共有無線リソースを含む様に実装することも可能であり、特に、その様なシナリオでは、ブロードキャスト送信１８０が使用され得る。
【００３３】
衝突の尤度を減らすため、チャネルの無線リソースは、あるクラスのデータのために、例えば、明確に特定のクラスのデータに、或いは、１つ以上のクラスのデータのために予約され得る。無線リソースは、時間−周波数リソースブロックのセットとして定義され得る。無線リソースを予約することは、ある時点で、無線リソースが、将来の時間期間のために予約されている技術に対応し得る。一般的に、予約された無線リソースは、繰り返し生じる、つまり、将来の時間期間の間、予約された無線リソースが時々繰り返し生じる。いずれの場合でも、無線リソースは、共有無線リソースであり得る。
【００３４】
アクセスノード１０２は、ＭＴＣネットワーク１００の中央ネットワークマネージャとして動作する。アクセスノード１０２は、センサからセンサデータを受信し、センサデータをアクチェータに送信する様に構成され、センサ及びアクチェータは、ＵＥ１０１ａ−１、１０１ａ−２、１０１ａ−３、１０１ｂ−１、１０１ｂ−２に実装、或いは、ＵＥ１０１ａ−１、１０１ａ−２、１０１ａ−３、１０１ｂ−１、１０１ｂ−２に接続されている。よって、アクセスノード１０２は、プログラマブルロジックデバイス（ＰＬＣ）としても参照され得るＵＥ１０１ａ−１、１０１ａ−２、１０１ａ−３、１０１ｂ−１、１０１ｂ−２と、１対１で取り付けられていると見做し得る。図１に示すＵＥ１０１ａ−１、１０１ａ−２、１０１ａ−３、１０１ｂ−１、１０１ｂ−２の数は５であるが、一般的に、多くの数のＵＥ１０１ａ−１、１０１ａ−２、１０１ａ−３、１０１ｂ−１、１０１ｂ−２、例えば、約３０のＵＥがＭＴＣネットワーク１００に接続され得る。２以上のアクセスノード１０２があり得る。
【００３５】
ＭＴＣネットワーク１００は、信頼性、遅延、各待ち時間について、データの送信１８０、１９０に比較的に厳しい要求を課す。特に、図１によるＭＴＣネットワーク１００において、第１クラスのデータと第２クラスのデータの共存のサポートが提供される。
【００３６】
例えば、第１クラスのデータは、イベントトリガデータであり、第２クラスのデータは、ベストエフォートデータである。以下、第１クラスのデータをイベントトリガデータとし、第２クラスのデータをベストエフォートデータとして、主に参照するが、第１クラスのデータ及び第２クラスのデータは、異なるタイプや種類のデータに対応するものとすることもできる。
【００３７】
ベストエフォートデータ、及び／又は、イベントトリガデータは、ＵＬ送信で、ＵＥ１０１ａ−１、１０１ａ−２、１０１ａ−３、１０１ｂ−１、１０１ｂ−２からアクセスノード１０２に送信され得る、及び／又は、デバイスートゥーデバイス（Ｄ２Ｄ）送信で、残りのＵＥ１ａー１、１０１ａ−２、１０１ａ−３、１０１ｂ−１、１０１ｂ−２に送信され得る。典型的に、イベントトリガデータ、及び／又は、ベストエフォートデータは、あるＵＥ１０１ａ−１、１０１ａ−２、１０１ａ−３、１０１ｂ−１、１０１ｂ−２からアクセスノード１０２にユニキャスト送信１９０を介して送信される。
【００３８】
イベントトリガデータは、特に、ベストエフォートデータと比較し、高優先度に対応し得る。例えば、遅延及び／又は優先度のＱｏＳ要求は、ベストエフォートデータより、イベントトリガデータの方が厳しい。イベントトリガデータは、緊急メッセージ等の様な、格別なメッセージ、頻度の少ないメッセージに対応する。イベントトリガデータは、格別な、或いは、予期できないイベントといったイベントによりトリガされ得る。図１において、ＵＥ１０１ａ−１、１０１ａ−２、ＵＥ１０１ａ−３は、イベントトリガデータを送信する能力がある。
【００３９】
ベストエフォートデータは、繰り返し生じるトラフィックに関連付けられ、特に、ベストエフォートデータは、ある周期性、又は、周期性の分布で、周期的に繰り返し生じ得る。よって、ベストエフォートデータは、周期データとしても参照され得る。その様な、ベストエフォートデータは、周期的に表示される状態更新、測定値等に対応し得る。図１において、ＵＥ１０１ｂ−１、１０１ｂ−２は、ベストエフォートトラフィックを送信する能力がある。特に、ＵＥ１０１ｂ−１、１０１ｂ−２は、繰り返し生じる方法で、ベストエフォートトラフィックを送信する様に構成される。図１のシナリオにおいて、ＵＥ１０１ｂ−１、１０１ｂ−２は、ＭＴＣネットワーク１００のアクチェータ又はセンサである。
【００４０】
一般的に、通信デバイス１０１ａ−１、１０１ａ−２、１０１ａ−３、１０１ｂ−１、１０１ｂ−２は、ベストエフォートデータ及び／又はイベントトリガデータを送信する能力がある。特に、図１のシナリオにおいて、ＵＥ１０１ａ−１は、ベストエフォートデータとイベントトリガデータの両方を送信できる。
【００４１】
種々のシナリオにおいて、能力制御メッセージでＵＥ１ａー１、１０１ａ−２、１０１ａ−３、１０１ｂ−１、１０１ｂ−２により示される、イベントトリガデータとベストエフォートデータを送信する能力に応じて、チャネルのリソースを共有するＵＥ１ａー１、１０１ａ−２、１０１ａ−３、１０１ｂ−１、１０１ｂ−２のグループを定義することができる。ここで、ベストエフォートデータとイベントトリガデータの送信に関する異なる能力を持つその様なＵＥ１０１ａ−１、１０１ａ−２、１０１ａ−３、１０１ｂ−１、１０１ｂ−２をグループ化することができる。例えば、イベントトリガデータの送信能力を持たないＵＥ１０１ａ−１、１０１ａ−２、１０１ａ−３、１０１ｂ−１、１０１ｂ−２を、イベントトリガデータの送信能力を持つＵＥ１０１ａ−１、１０１ａ−２、１０１ａ−３、１０１ｂ−１、１０１ｂ−２とグループ化することができる。１つのグループのＵＥ１０１ａ−１、１０１ａ−２、１０１ａ−３、１０１ｂ−１、１０１ｂ−２は、少なくともイベントトリガデータに予約された、チャネルのリソースを共有する様に構成される。特に、１つのグループのＵＥ１０１ａ−１、１０１ａ−２、１０１ａ−３、１０１ｂ−１、１０１ｂ−２は、ベストエフォートデータのデータパケットの送信のため、少なくともイベントトリガデータのために予約された、チャネルのリソースを再利用する様に構成され得る。ＵＥ１０１ａ−１、１０１ａ−２、１０１ａ−３、１０１ｂ−１、１０１ｂ−２のグループ化、及び／又は、無線リソースの割り当ては、アクセスノード１０２により実行され得る。グループ化のその様な技術は、詳細を以下に説明する様に、衝突の低い尤度を保持しながら、伝送遅延を低減させることを可能にする。
【００４２】
能力制御メッセージは、ユニキャスト送信１９０及び／又はブロードキャスト送信１８０を介して送信され得る。チャネルは、送信に使用され、代わりに、或いは、追加して、制御チャネルは、能力制御メッセージの送信に使用され得る。
【００４３】
無線ＨＡＲＴ及びＩＳＡ１００．１１ａの様な参照する実装によると、ベストエフォートデータ及びイベントトリガデータの共存は、厳しい遅延要求を満たさない方法で処理される。つまり、参照する実装によるその様な技術は、典型的にはＩＥＥＥ８０２．１５，２００６年４月、に基づき、フレームベースアプローチを使用する。ここで、データ送信は、送信フレームの時間連続に依存する。参照する実施形態において、典型的には、各フレームは、衝突フリーフェーズと、衝突ベースフェーズの２つのフェーズに分割される。参照する実施形態によると、ベストエフォートデータは、ネットワークマネージャによる支援のもと、衝突フリーフェーズにおいてスケジュールされ、イベントトリガデータは、衝突ベースフェーズでスケジュールされる。イベントトリガデータは、ベストエフォートデータに対して送信の優先度を持たない。例えば、参照する実施形態において以下のシナリオが生じ得る。イベントでトリガされる緊急メッセージが、衝突フリーフェーズの間に生成されると、或いは、衝突ベースフェーズの間、緊急メッセージの送信が失敗すると、（再）送信は、次の衝突ベースフェーズ又は次のフレームまでそれぞれ遅らされる。この様に、遅延は比較的高い。
【００４４】
以下では、少なくとも上述したシナリオと比較し、イベントトリガデータの送信遅延を特に減少させ、同時に、高い送信信頼性を達成することができる、種々の実施形態による技術を記載する。以下に記述する技術は、１ｍｓ以下の遅延、かつ、１Ｅ−９以上の送信信頼性を実現可能である。これらの技術は、ＭＴＣネットワークにおいて、通常、イベントトリガデータは、ベストエフォートデータより少ない頻度でスケジュールされるという知見に基づき、これは、上述した様に、無線リソースを共有するＵＥのグループ化を、それらのイベントトリガデータ及びベストエフォートデータ送信の能力に応じたものとするとことで、真となる。これらの技術は、さらに、ＭＴＣネットワーク１００において、厳密に分離した帯域を一方ではベストエフォートデータに割り当て、他方ではイベントトリガデータに割り当てることは、スペクトラル効率の点で、比較的、非効率であり、むしろ、無線リソースの再利用が、スペクトラル効率の増加を可能にするとの知見に基づく。
【００４５】
以下に詳細を述べる技術は、イベントトリガデータをベストエフォートデータに対して優先的にスケジューリングすることに依存している。ＵＥ１０１ａ−１、１０１ａ−２、１０１ａ−３、１０１ｂ−１、１０１ｂ−２がイベントトリガデータを送信することを要求するとき、ＭＴＣネットワーク１００の他のＵＥ１０１ａ−１、１０１ａ−２、１０１ａ−３、１０１ｂ−１、１０１ｂ−２によるベストエフォートデータ、及び／又は、イベントトリガデータの送信は、ブロック、又は、停止される。これは、イベントトリガデータの送信のための無線リソースを自由にすることを可能にする。
【００４６】
種々の実施形態によると、各ＵＥ１０１ａ−１、１０１ａ−２、１０１ａ−３、１０１ｂ−１、１０１ｂ−２は、イベントトリガデータのデータパケットを送信する必要性を事前に示す制御メッセージを送信する様に構成される。例えば、この送信は、イベントトリガデータのデータパケットが、送信のために、各ＵＥ１０１ａ−１、１０１ａ−２、１０１ａ−３、１０１ｂ−１、１０１ｂ−２の送信バッファにスケジュールされたことの応答であり得る。代わりに、或いは、加えて、この送信は、イベントトリガデータの生成イベントが生じたことの応答であり得る。
【００４７】
一般的に、制御メッセージは、チャネルで送信され得る。制御メッセージを制御チャネルで送信することも可能である。
【００４８】
制御メッセージは、ユニキャスト送信１８０を介して、個別の他のＵＥ１０１ａ−１、１０１ａ−２、１０１ａ−３、１０１ｂ−１、１０１ｂ−２、及び／又は、アクセスノード１０２に送信され得る。代わりに、又は、加えて、制御メッセージは、ブロードキャスト送信１９０を介して送信され得る。制御メッセージは、専用無線リソースを含む制御チャネル、及び／又は、少なくともイベントトリガデータのために予約された、チャネルの無線リソースを使用して送信され得る。例えば、３ＧＰＰ  ＬＴＥ無線アクセス技術の場合、制御チャネルが使用されると、物理ＵＬ制御チャネル（ＰＵＣＣＨ）が使用され得る。
【００４９】
制御メッセージは、さらに、他のＵＥ１０１ａ−１、１０１ａ−２、１０１ａ−３、１０１ｂ−１、１０１ｂ−２に、チャネルでの送信の停止を指示する。これにより、特に、イベントトリガデータのデータパケットが送信されている間、他のＵＥ１０１ａ−１、１０１ａ−２、１０１ａ−３、１０１ｂ−１、１０１ｂ−２は、送信することを妨げられる。この様に、衝突のリスクを減少させながら、ＵＥ１０１ａ−１、１０１ａ−２、１０１ａ−３、１０１ｂ−１、１０１ｂ−２間で、チャネルの無線リソースを共有することが可能になる。
【００５０】
通常は、チャネルの無線リソースは、イベントトリガデータのためのみに予約されるが、チャネルの無線リソースを、イベントトリガデータと、ベストエフォートデータのために予約することも可能である。チャネルの無線リソースが、イベントトリガデータのためのみに予約されると、例えば、ベストエフォートデータのためのみに予約された、ベストエフォートデータのために予約された他の無線リソースが存在し得る。よって、ＵＥ１０１ａ−１、１０１ａ−２、１０１ａ−３、１０１ｂ−１、１０１ｂ−２間で共有されるチャネルの無線リソースは、異なる第１及び第２無線リソースを含み、第１及び第２無線リソースは、それぞれ、イベントトリガデータ及びベストエフォートデータのために予約される。
【００５１】
いずれの場合も、ＵＥ１０１ａ−１、１０１ａ−２、１０１ａ−３、１０１ｂ−１、１０１ｂ−２は、イベントトリガデータのために予約された、チャネルの無線リソース（第１無線リソース）を、ベストエフォートデータの送信にも使用することが可能である。言い換えると、第１無線リソースは、ベストエフォートデータのデータパケットの送信に再利用され得る。これは、ベストエフォートデータの送信遅延を減少させることを可能にする。
【００５２】
リソースを再利用することに依存する、その様はハイブリッドアプローチは、遅延及び信頼性の要求を満たしつつ、チャネル上で、ベストエフォートデータ及びイベントトリガデータの共存を可能にする。例えば、ＵＥ１０１ａ−１、１０１ａ−２、１０１ａ−３、１０１ｂ−１、１０１ｂ−２は、高いトラフィック負荷、例えば、ベストエフォートデータのために予約された、チャネルの総ての無線リソース（第２無線リソース）がビジーである場合、ベストエフォートデータのデータパケットのために、第１無線リソースを再利用する様に構成され得る。
【００５３】
第１無線リソースを、２つ以上のＵＥ１０１ａ−１、１０１ａ−２、１０１ａ−３、１０１ｂ−１、１０１ｂ−２に、共有する方法で割り当てることも可能である。代わりに、或いは、加えて、第２無線リソースを、２つ以上のＵＥ１０１ａ−１、１０１ａ−２、１０１ａ−３、１０１ｂ−１、１０１ｂ−２に、共有する方法で割り当てることも可能である。
【００５４】
通常、第２無線リソースは、同様に予約され得る。通常、第２無線リソースは、他の無線リソース、例えば、制御チャネルの無線リソース、及び／又は、第１無線リソースと、時間及び／又は周波数において直交し得る。通常、ベストエフォートデータを送信する能力があるＵＥ１０１ａ−１、１０１ｂ−１、１０１ｂ−２は、第２無線リソースのチャネルのトラフィック負荷に応じて、ベストエフォートデータのデータパケットの送信のために、第１無線リソース及び第２無線リソースから選択する様に構成され得る。そして、ＵＥ１０１ｂ−１、１０１ｂ−２は、第１無線リソースが選択された場合、第１無線リソースを使用してベストエフォートデータのデータパケットを送信する様に構成され得る。しかしながら、同時に、制御メッセージがベストエフォートデータの送信を停止させる場合、第１無線リソース及び第２無線リソースからの選択の際、これは、同様に、考慮され得る。トラフィック負荷を判定するとき、通常、事前に定義されたトラフィック閾値を考慮することが可能である。例えば、チャネルのトラフィックが事前定義されたトラフィック閾値を下回っていると、ベストエフォートデータのデータパケットの送信に、第２無線リソースを使用することができる。例えば、例外的な状況において、第２無線リソースのトラフィックが、事前定義されたトラフィック閾値を超えていると、ベストエフォートデータのデータパケットの送信に、第１無線リソースを再使用することができる。これは、フォールバックの解決策として、ベストエフォートデータの送信のために、第１無線リソースの再利用を必要な程に制御することを可能にする。よって、衝突が回避され得る。
【００５５】
図２には、チャネル２８０上の時間（図２の水平軸）及び周波数（図２の垂直軸）に渡る第１無線リソース２２１及び第２無線リソース２２２が示されている。図２から分かる様に、異なる無線リソース２２１，２２２が、イベントトリガデータ及びベストエフォートデータの送信のために割り当てられている。しかしながら、上述した様に、ある基準に適合すると、第１無線リソース２２１を、ベストエフォートデータのデータパケットの送信のために再利用できる。
【００５６】
チャネル２８０での送信は、フレーム２１１に細分され、３ＧＰＰ  ＬＴＥシナリオのサブフレームと比較し、フレーム２１１は、０．２ｍｓの、より短い期間、つまり、５のファクタでスケールダウンされた期間を有する。フレーム２１１は、より大きなファクタ、例えば、１０のファクタでスケールされ得る。各フレーム２１１は、複数の時間−周波数リソースブロック２１５を含む。図２からわかる様に、第１無線リソース２２１は、周期Ｐ、つまり各フレーム２１１で周期的に繰り返し生じ、第２無線リソース２２２は、比較的長い周期Ｐ´、つまり、フレーム２１１の２つおきに周期的に繰り返し生じている。しかしながら、一般的に、無線リソース２２１、２２２は、厳しい周期性ではなく、或いは、ある周期の分布に従うことなく繰り返し生じ得る。
【００５７】
一般的に、図３の様に、ある周波数帯を、継続的にイベントトリガデータ及び／又はベストエフォートデータのために予約することもできる。 
図３のシナリオにおいて、イベントトリガデータ及びベストエフォートデータのために予約された第１無線リソース及び第２無線リソース２２１、２２２の区別はなく、代わりに、図３のシナリオにおいては、無線リソース２２３が、イベントトリガデータ及びベストエフォートデータの両方の送信のために割り当てられている。その様な技術は、図２によるシナリオにも適用され得る。
【００５８】
一般的に、無線リソース２２１、２２２、２２３は、下りリンク（ＤＬ）送信において、アクセスノード１０２からＵＥ１０１ａ−１、１０１ａ−２、１０１ａ−３、１０１ｂ−１、１０１ｂ−２に送信されるスケジューリング制御メッセージを使用して、ＵＥ１０１ａ−１、１０１ａ−２、１０１ａ−３、１０１ｂ−１、１０１ｂ−２に事前に割り当てられ得る。区別された第１無線リソース２２１及び第２無線リソース２２２がある場合、同様に、スケジューリング制御メッセージも区別され得る。
【００５９】
スケジューリング制御メッセージは、チャネル及び／又は制御チャネル上で送信され得る。スケジューリング制御メッセージは、ユニキャスト送信１９０及び／又はブロードキャスト送信１８０を介して送信され得る。
【００６０】
スケジューリングは、アクセスノード１０２により集中制御され得る。アクセスノード１０２は、ユニキャスト送信１９０及び／又はブロードキャスト送信１８０を介して、例えば、初期設定フェーズにおいて、スケジューリング制御メッセージを送信し得る。スケジューリング制御メッセージの送信のため、ＤＬ制御チャネル、例えば、３ＧＰＰ  ＬＴＥ無線アクセス技術の場合、物理ＤＬ制御チャネル（ＰＤＤＣＨ）が利用され得る。この様に、スケジューリング制御メッセージは、予めスケジュールされた、或いは、予約された無線リソースを示し得る。
【００６１】
第１無線リソース及び／又は第２無線リソースの予約は、チャネル２８０の状態の応じて適切な時間−周波数リソースブロック２１５を割り当てるためのリンクアダプテーション技術により行われ得る。無線リソース２２１、２２２の周期Ｐ、Ｐ´は、典型的には、トラフィックパターン及び許可の有効性に依存する。複数の時間−周波数無線リソースブロック２１５が、チャネル２８０の状態、例えば、干渉パターン等に基づき適用され得る。一般的に、リソース量は、種々のパラメータ、例えば、ＭＴＣネットワーク１００に接続されるＵＥ１０１ａ−１、１０１ａ−２、１０１ａ−３、１０１ｂ−１、１０１ｂ−２の数、及び／又は、ＵＥ１０１ａ−１、１０１ａ−２、１０１ａ−３、１０１ｂ−１、１０１ｂ−２によりリポートされるチャネル２８０の品質、及び／又は、フレーム１１１の期間により推定され得る。
【００６２】
この様に、ＵＥ１０１ａ−１、１０１ａ−２、１０１ａ−３、１０１ｂ−１、１０１ｂ−２は、アクセスノード１０２からユニキャスト送信１９０又はブロードキャスト送信１８０を介して、少なくとも無線リソース２２１、２２２、例えば、第１無線リソース２２１及び／又は第２無線リソースの部分を事前に示すスケジューリング制御メッセージを受信する様に構成することができる。同様に、一般的に、アクセスノード１０２は、ＵＥ１０１ａ−１、１０１ａ−２、１０１ａ−３、１０１ｂ−１、１０１ｂ−２の１つ以上に、ユニキャスト送信１９０又はブロードキャスト送信１８０を介して、スケジューリング制御メッセージを送信する様に構成することができる。
【００６３】
図４は、シグナリング図である。４０１で、アクセスノード１０２は、ＤＬ方向において、第１スケジューリング制御メッセージ４７１をＵＥ１０１ａ−１に送信する。第１スケジューリング制御メッセージ４７１は、第１無線リソース２２１を事前に示す。その後、４０２で、アクセスノード１０２は、第２スケジューリング制御メッセージ４７２をＵＥ１０１ａ−１に送信する。第２スケジューリング制御メッセージ４７２は、第２無線リソース２２２を事前に示す。図４のシナリオにおいて、スケジューリング制御メッセージ４７１、４７２は、ユニキャスト送信１９０を介して送信される。ＤＬ制御チャネルが４０１、４０２で使用される。スケジューリング制御メッセージ４７１、４７２の送信は、初期設定フェーズ４９０で生じる。
【００６４】
初期設定フェーズ４９０の完了後、しばらくすると、ＭＴＣネットワーク１００は、イベントトリガデータ及びベストエフォートデータのデータパケットのデータ送信が一般的に可能な状態で動作する。４０３で、予約された第１無線リソース２２１が生じるが、データパケットは実際には送信されない。再度４１０でも、第１無線リソース２２１は、送信に利用されない。パディングが使用され得る。
【００６５】
それとは異なり、４０４では、ベストエフォートデータのデータパケット４９２が、第２無線リソース２２２を使用して送信される。４０６、４０８、４０９、４１１でも、ベストエフォートデータのデータパケット４９２が、第２無線リソース２２２を使用して送信される。４０４、４０６、４０８、４０９、４１１では、チャネル２８０のＵＬ送信が、ユニキャスト送信１９０を介して生じる。
【００６６】
ある時点でイベント４０５が生じる。例えば、警告がトリガされ、或いは、ＰＬＣのある値があらかじめ決められた閾値を超えるなどであり得る。この様に、イベントトリガデータのデータパケット４９１が生成され、４０７で、ＵＬ方向において、ユニキャスト送信１９０を介してチャネル２８０上でアクセスノード１０２に最終的には送信される。例えば、データパケット４９１は、緊急メッセージ等を搬送し得る。
【００６７】
図４のシナリオにおいて、イベントトリガデータのデータパケット４９１及びベストエフォートデータのデータパケット４９２は、ユニキャスト送信１９０を介してアクセスノード１０２に送信される。一般的に、データパケット４９１及び／又はデータパケット４９２は、代わりに、或いは、加えて、ブロードキャスト送信１８０（図４には示さず）を介して送信できる。
【００６８】
上述した様に、４０３及び４１０では、使用されない第１の無線リソース２２１が生じている。各帯域幅は、ペイロードデータ送信に使用されない。これは、４０３、４１０で、ＵＥ１０１ａ−１は、送信されるべきベストエフォートデータがあるかをチェックする様に構成されているが、４０３、４１０で、ＵＥ１０１ａ−１は、例えば、ＵＬ送信バッファで送信のためにスケジュールされた、送信されるべきベストエフォートデータがあるが、第２無線リソース２２２のチャネル２８０のトラフィック負荷が予め決められたあるトラフィック閾値より低いと判定し、よって、ＵＥ１０１ａ−１は、ベストエフォートデータのデータパケット４９２の送信のために、４０４、４１１で、それぞれ、第２無線リソース２２２を選択したからである。これにより、未使用の第１無線リソース２２１、２２２は、ベストエフォートデータの送信のために再利用されていない。
【００６９】
上述した様に、原理的に、第１無線リソース２２１を、ベストエフォートデータの送信のために再利用することが可能である。しかしながら、これは、フォールバック解決策として、第２無線リソース２２２のトラフィック負荷に依存して選択的にトリガされ得る。
【００７０】
第１無線リソース２２１及び第２無線リソース２２２は、ＵＥ１０１ａ−１、１０１ａ−２、１０１ａ−３、１０１ｂ−１、１０１ｂ−２で共有される。さらに、第１無線リソース２２１は、ベストエフォートデータの送信のために再利用され得る。この様に、図４に関して説明したシナリオにおいて、衝突が生じ得る。例えば、ベストエフォートデータが第１無線リソース２２１を使用して、他のＵＥ１０１ａ−２、１０１ａ−３、１０１ｂ−１、１０１ｂ−２に送信され、同時に、ＵＥ１０１ａ−１が、チャネルを介してイベントトリガデータのデータパケット４９１を送信する状況が生じ得る。これは、結果として衝突が生じる。衝突の尤度を減少させることができる技術について説明する。
【００７１】
図５を参照すると、シナリオは、ＵＥ１０１ａ−１、又は、他のＵＥＵＥ１０１ａ−２、１０１ａ−３、１０１ｂ−１、１０１ｂ−２が、ベストエフォートデータのデータパケット４９２の送信のために第１無線リソース２２１を選択し、同時に、衝突の尤度を減少させるものとも考えられる。これは、制御メッセージ５８０を使用することにより生じる。制御メッセージ５８０は、ＵＥ１０１ａ−１が、イベントトリガデータのデータパケット４９１を送信する必要性を事前に示す。技術の詳細を以下に説明する。
【００７２】
５０３で、ベストエフォートデータのデータパケット４９２が、第１無線リソース２２１を使用して送信される。ここで、ＵＥ１０１ａ−１は、ベストエフォートデータのデータパケット４９２の送信のために第１無線リソース２２１を選択し、これは第２無線リソース２２２のチャネル２８０のトラフィック負荷が、予め決められたトラフィック負荷を超えているからである。第１無線リソース２２１は、主に、イベントトリガデータの送信のために予約されているが、データパケットの低遅延配信を確実にするため、第１無線リソース２２１が再利用されている。
【００７３】
一般的に、第２無線リソース２２２のチャネル２８０上のトラフィック負荷をチェックする際、信頼され得る異なる決定基準が考えられる。例えば、送信されるベストエフォートデータのデータパケット４９２のサイズ、及び／又は、例えば、ある時間範囲の第２無線リソースのサイズ、及び／又は、ベストエフォートデータのデータパケット４９２に含まれるデータの優先度を考慮することができる。例えば、時間範囲内に、第２無線リソースが、その判定されたサイズでは、データパケット４９２を送信するために十分でなければ、第１無線リソース２２１へのフォールバックが実行され得る。時間範囲は、例えば、ＱｏＳによる、遅延要求と相関があり得る。
【００７４】
上述した様に、第１無線リソース２２１は、主に、イベントトリガトラフィックのために予約されている。しかしながら、それは、例えば、高トラフィック負荷といった、混雑したネットワークの場合には、ベストエフォートトラフィックの送信のためにも利用され得る。典型的には、より低い送信優先度に対応するベストエフォートデータは、その様な場合には、第１無線リソース２２１を使用する様にスケジュールされ、ベストエフォートデータの低い優先度により、イベントトリガデータのデータパケット４９１の送信が必要である場合、その様な送信はブロックされ得る。これは、制御メッセージ５８０の手段により達成される。
【００７５】
制御メッセージ５８０は、衝突回避メカニズムを実行する。図５のシナリオは、イベントトリガデータのデータパケット４９１のスケジューリングを、ベストエフォートデータのデータパケット４９２より優先する、衝突回避メカニズムのＤ２Ｄ支援解決策に対応する。５０３で、ＵＥ１０１ａ−１は制御メッセージ５８０を受信しないので、ＵＥ１０１ａ−１は、第１無線リソースを使用し、ベストエフォートデータのデータパケット４９２を自由に送信する。言い換えると、第１無線リソース２２１と第２無線リソース２２２間の選択は、一般的に、制御メッセージ５８０を受信したか否かに依存する。
【００７６】
この点、例えば、５０５で、イベントが生じ、イベントトリガデータが生成されている。この様に、ＵＥ１０１ａ−１は、ＵＬ送信のためにスケジュールされるイベントトリガデータを有し、よって、５０６で、イベントトリガデータのデータパケット４９１の送信の必要性を事前に示す制御メッセージ５８０をＵＥ１０１ａ−１は送信する。制御メッセージ５８０は、ブロードキャスト送信１８０を介して、残りのＵＥ１０１ａ−２、１０１ａ−３、１０１ｂ−１、１０１ｂ−２に送信され、その結果、残りのＵＥ１０１ａ−２、１０１ａ−３、１０１ｂ−１、１０１ｂ−２は、高優先のイベントトリガトラフィックの存在を認識する。この様に、制御メッセージ５８０は、残りのＵＥ１０１ａ−２、１０１ａ−３、１０１ｂ−１、１０１ｂ−２が、第１無線リソース２２１を使用して、チャネル２８０で送信することを停止させる。一般的に、制御メッセージ５８０は、予め決められたある時間期間、及び／又は、予め決められたある数の時間−周波数リソースブロック２１５、及び／又は、明確に示された時間−周波数リソースブロック２１５での送信を停止させ得る。オプションとして、アクセスノード１０２も、５０６で、ブロードキャスト送信１８０、及び／又は、ユニキャスト送信１９０（図５では示さず）を介して、制御メッセージ５８０を受信する。
【００７７】
５０６で、制御メッセージ５８０は、制御チャネルを介して送信される。しかしながら、一般的に、制御メッセージ５８０をチャネル２８０で送信することも可能である。
【００７８】
必須ではないが、一般的に、制御メッセージ５８０は、イベントトリガデータのデータパケット４９１の送信への使用をＵＥ１０１ａ−１が意図する特定の時間−周波数リソースブロック２１５についての明示的又は暗示的情報を含むこともできる。特に、その様なシナリオにおいて、データパケット４９１の送信のための時間−周波数リソースブロック２１５を選択する決定ロジックが、ＵＥ１０１ａ−１に存在し得る。ここで、ＵＥ１０１ａ−１は、チャネル２８０のフレーム構造及びチャネル２８０の品質についての情報を考慮し得る。この様に、一般的に、制御メッセージ５８０は、第１無線リソース２２１の時間−周波数リソースブロック２１５を示し、残りのＵＥ１０１ａ−２、１０１ａ−３、１０１ｂ−１、１０１ｂ−２が、示された時間−周波数リソースブロック２１５で送信することの停止を指示する。この様に、一般的に、残りのＵＥ１０１ａ−２、１０１ａ−３、１０１ｂ−１、１０１ｂ−２は、示された時間−周波数リソースブロック２１５に応じて、ベストエフォートデータのデータパケット４９２の送信のために、第１無線無リソース２２１及び第２無線リソース２２２から選択する様に構成され得る。
【００７９】
５０４、５０７、５０９、５１０、５１２で、ベストエフォートデータのデータパケット４９２が、第２無線リソース２２２を使用して通常通り送信される。
【００８０】
上述した及び５０３に関し、ＵＥ１０１ａ−１が、第１無線リソース２２１を使用してベストエフォートデータのデータパケット４９２を送信するシナリオについて述べた。逆に、第１無線リソース２２１は、共用無線リソースであり、残りのＵＥ１０１ａ−２、１０１ａ−３、１０１ｂ−１、１０１ｂ−２の１つ以上が、ベストエフォートデータのデータパケット５９２の送信のために、第１無線リソース２２１を使用することも可能である。これが、５１１で生じる。
【００８１】
図５から明らかな様に、ＵＥ１０１ａ−１は、ベストエフォートデータとイベントトリガデータの両方を送信できる。これは、一般的に、能力制御メッセージ５７０で示される。図５のシナリオにおいて、ＵＥ１０１ａ−１は、５００で、つまり、設定フェーズ４９０で、ＵＬ方向において、例えば、ＰＵＣＣＨを利用し、能力制御メッセージ５７０を送信する。能力制御メッセージ５７０は、ベストエフォートデータを生成し送信するＵＥ１０１ａ−１の能力を積極的に示し、さらに、イベントトリガデータを生成し送信するＵＥ１０１ａ−１の能力を積極的に示す。一般的に、ベストエフォートデータ及びイベントトリガデータを生成し送信する能力のシグナリングのため、２つの異なるメッセージに依存することも可能である。
【００８２】
能力制御メッセージ５７０は、５００で、個別制御チャネルを使用して送信される。一般的に、制御メッセージ５７０は、チャネル２８０でも送信され得る。
【００８３】
上記図５に関して、能力制御メッセージ５７０について説明したが、能力制御メッセージ５７０を他の実施形態で使用することも可能である。
【００８４】
図５のシナリオにおいて、データパケット４９１、４９２は、ブロードキャスト送信１８０を介して送信されたが、一般的に、データパケット４９１、４９２は、例えば、アクセスノード１０２（図４参照）又は任意の他のＵＥ１０１ａ−２、１０１ａ−３、１０１ｂ−１、１０１ｂ−２に対して選択的に、ユニキャスト送信１９０を介して送信され得る。
【００８５】
同様に、図５のシナリオにおいて、制御メッセージ５８０は、ブロードキャスト送信１８０を介して送信される。これは、衝突回避メカニズムのＤ２Ｄ型実装を促進する。しかし、一般的に、制御メッセージ５８０は、ユニキャスト送信１９０を介して送信され、例えば、制御メッセージは、残りのＵＥ１０１ａ−２、１０１ａ−３、１０１ｂ−１、１０１ｂ−２、及び／又は、アクセスノード１０２の１つ又は総てより多い、１つ以上に向けられ得る。
【００８６】
図６は、他のシナリオを示している。６０１及び６０２は、それぞれ、５０１及び５０２に対応する。６０３−６０７は、それぞれ、５０３−５０７に対応するが、図６のシナリオでは、制御メッセージ５８０は、イベントトリガデータのデータパケット４９１の送信のための時間−周波数ブロック２１５を示さない。これは、図６のシナリオでは、イベントトリガデータのデータパケット４９１の送信をスケジュールする決定ロジックが、他のＵＥ１０１ａ−２、１０１ａ−３、１０１ｂ−１、１０１ｂ−２の１つ、及び／又は、アクセスノード１０２には有るが、ＵＥ１０１ａ−１に無いからである。他の制御メッセージ５８１は、制御メッセージ５８０の送信後、６０８で、例えば、他のＵＥ１０１ａ−２、１０１ａ−３、１０１ｂ−１、１０１ｂ−２、及び／又は、アクセスノード１０２の１つからＵＥ１０１ａ−１によって受信され、よって、他の制御メッセージ５８１は、応答メッセージとして参照され得る。他の制御メッセージ５８１は、一般的に、個別制御チャネル及び／又はチャネル２８０を介して送信され得る。この他の制御メッセージ５８１は、イベントトリガデータのデータパケット４９１の送信のための時間−周波数リソースブロック２１５を示す。他の制御メッセージ５８１は、ＵＥ１０１ａ−１に、示された時間−周波数リソースブロック２１５を使用してイベントトリガデータのデータパケット４９１を送信させ、この送信は、６０９で、第１無線リソース２２１の示された時間−周波数リソースブロック２１５を使用して生じている。ここで、ＵＥ１０１ａ−１は、第１無線リソース２２１でのイベントトリガデータのデータパケット４９１の送信を自立的にスケジュールする必要はなく、代わりに、ＵＥ１０１ａ−１は、他の制御メッセージ５８１で示された時間−周波数リソースブロック２１５に依存できる。ここで、イベントトリガデータのデータパケット４９１をスケジュールする決定ロジックは、例えば、アクセスノード２０１に存在する。
【００８７】
６１０−６１３は、５０９−５１２に対応する。
【００８８】
一般的に、イベントトリガデータのデータパケット４９１の送信をスケジュールする決定ロジックは、ＵＥ１０１ａ−１及び他のＵＥ１０１ａ−２、１０１ａ−３、１０１ｂ−１、１０１ｂ−２、及び／又は、アクセスノード１０２に間で共有され得る。例えば、制御メッセージ５８０は、複数の時間−周波数リソースブロック２１５の候補を含み、他の制御メッセージ５８１は、複数の時間−周波数リソースブロック２１５の候補を肯定的或いは否定的に承認し得る。
【００８９】
図７のシナリオは、一般的に、図６のシナリオに対応する。７０１及び７０２は、６０１及び６０２に対応する。しかし、Ｄ２Ｄ支援衝突回避メカニズムを実装する図６とは異なり、図７のシナリオにおいて、衝突回避メカニズムは、アクセスノード１０２によって集中的に動作する。
【００９０】
７０３で、ベストエフォートデータのデータパケット４９２は、残りのＵＥ１０１ａ−２、１０１ａ−３、１０１ｂ−１、１０１ｂ−２の１つによって、ユニキャスト送信１９０を介して送信され、対応する第１無線リソース２２１は、この送信によりブロックされる。７０３で、ＵＥ１０１ａ−１が、ユニキャスト送信１９０及び／又はブロードキャスト送信１８０を介し、第１無線リソース２２１を使用し、イベントトリガデータのデータパケット４９１を送信すると、衝突が生じる。
【００９１】
７０４及び７０５は、６０４及び６０５に対応する。
【００９２】
図６のシナリオとは異なり、７０６で、制御メッセージ５８０が、ユニキャスト送信１９０を介してアクセスノード１０２に送信される。図７のシナリオにおいて、イベントトリガデータのデータパケット４９１の送信をスケジューリングする決定ロジックは、アクセスノード１０２に存在する。この様に、７０６で、制御メッセージ５８０は、データパケット４９１の送信が計画されている、第１無線リソース２２１の時間−周波数リソースブロック２１５の表示を含む必要はない。
【００９３】
データパケット４９１の送信が計画されている第１無線リソース２２１の時間−周波数リソースブロック２１５のこの表示は、アクセスノード１０２から、ユニキャスト送信１９０を介して、ＵＥ１０１ａ−１に送信され、追加的に、ブロードキャスト送信１８０又はユニキャスト送信１９０を介して残りのＵＥ１０１ａ−２、１０１ａ−３、１０１ｂ−１、１０１ｂ−２に送信される他の制御メッセージ５８１に含まれる。他の制御メッセージ５８１は、残りのＵＥ１０１ａ−２、１０１ａ−３、１０１ｂ−１、１０１ｂ−２が、示された時間−周波数リソースブロック２１５で送信することを停止させる。７０８での、ユニキャスト送信１９０を介した、ＵＥ１０１ａ−１への他の制御メッセージ５８１の送信はオプションであり、一般的に、他の制御メッセージ５８１は、ブロードキャスト送信１８０を介して、総てのＵＥ１０１ａ−１、１０１ａ−２、１０１ａ−３、１０１ｂ−１、１０１ｂ−２に送信され得る。
【００９４】
７１０−７１４は、６０９−６１３に対応する。
【００９５】
上記内容からわかる様に、例えば、図６の衝突回避メカニズムのＤ２Ｄ支援解決策とは異なり、図７のシナリオにおいて、アクセスノード１０２が、スケジューリングに含まれる。
【００９６】
一般的に、制御メッセージ５８０及び／又は他の制御メッセージ５８１は、ＵＬ／ＤＬ制御チャネルを使用して送信され得る。ここで、ＵＬ制御チャネル及び／又はＤＬ制御チャネルが共有無線リソースを含まないと衝突が回避され得る。ここで、ＵＬ制御チャネル及び／又はＤＬ制御チャネルが、ＵＥ１０１ａ−１、１０１ａ−２、１０１ａ−３、１０１ｂ−１、１０１ｂ−２の１つに一意に割り当てられた無線リソースを含むとき、衝突は回避され、これは、典型的には、ユニキャスト送信１９０の場合である。制御メッセージ５８０が、例えば、無線リソース２２１、２２２、２２３を介し、Ｄ２Ｄブロードキャスト制御チャネル又はチャネル２８０の共有無線リソースを使用して送信されるシナリオでは、衝突回避技術を実装することがふさわしい。一般的に、衝突検出を伴うチャネル検知多重アクセス（ＣＳＭＡ／ＣＤ）技術が、制御メッセージ５８０、５８１の送信に使用される。特に、ＭＴＣネットワーク１００の伝搬時間が比較的小さいとき、ＣＤＭＡ／ＣＤ技術の高い効率が達成され、例えば、効率は、１００％に近づき得る。
【００９７】
異なるＵＥ１０１ａ−１、１０１ａ−２、１０１ａ−３、１０１ｂ−１、１０１ｂ−２により、制御チャネル上の共有無線リソースを介して送信された２つの制御メッセージ５８０、５８１の衝突が、図８の８０６ａ、８０６ｂに示されている。図８において、８０１−８０４は、６０１−６０４に対応する。８０５ａ及び８０５ｂで、ＵＥ１０１ａ−１と、残りのＵＥ１０１ａ−２、１０１ａ−３、１０１ｂ−１、１０１ｂ−２の１つにおいて、それぞれ、イベントトリガデータを生成させるイベントが生じている。ＵＥ１０１ａ−１と、残りのＵＥ１０１ａ−２、１０１ａ−３、１０１ｂ−１、１０１ｂ−２の１つは、ブロードキャスト送信１８０を介して制御メッセージ５８０を送信し、制御チャネルは、ＵＥ１０１ａ−１と、残りのＵＥ１０１ａ−２、１０１ａ−３、１０１ｂ−１、１０１ｂ−２の１つで共用されているので、衝突が生じる。ＣＳＭＡ／ＣＤ技術によると、ＵＥ１０１ａ−１は、あるランダムな時間後、８０８で、制御メッセージ５８０を再送し、残りのＵＥ１０１ａ−２、１０１ａ−３、１０１ｂ−１、１０１ｂ−２の１つも、あるランダムな時間後、８１１で、制御メッセージ５８０を再送する。よって、衝突が解決される。８０８で再送された制御メッセージ５８０は、８０９での、第１無線リソースを使用したデータパケット４９１の送信のための時間−周波数リソースブロック２１５を示している。８１１で送信された制御メッセージ５８０は、８１２での、データパケット４９１の送信のための時間−周波数リソースブロック２１５を示している。
【００９８】
８０７、８１０、８１３で、ベストエフォートデータのデータパケット４９２が、第２無線リソース２２２を使用して送信される。
【００９９】
図４〜８を参照した上記シナリオは、主に、イベントトリガデータの送信に占有される第１無線リソース２２１と、主に、ベストエフォートデータの送信に占有される第２無線リソース２２２がある場合について述べるものであった。図９においては、個別の第１及び第２無線リソース２２１、２２２が無く、代わりに、イベントトリガデータ及びベストエフォートデータの両方のために無線リソース２２３が予約されるシナリオを示している。
【０１００】
９００−９０２は、５００−５０２に対応する。さらに、９０３−９１２は、５０３−５１２に対応するが、無線リソース２２３が、イベントトリガデータ及びベストエフォートデータの両方のデータパケット４９１、４９２の送信のために使用される。
【０１０１】
図１０は、ＵＥ１０１ａ−１とＵＥ１０１ｂ−１との間の無線送信を示すシグナリング図である。ここで記載する技術によると、１００１で、ＵＥ１０１ａ−１の送信バッファにおいて、新たなイベントトリガデータが利用可能になっている。１００２で、制御チャネル２８１のチャネル競合が生じる。ＵＥ１０１ａ−１は、ＵＬ送信のためにスケジュールされたイベントトリガデータの対応するデータパケット４９１を有するので、ＵＥ１０１ａ−１は、チャネル２８１の、特に、ブロードキャスト送信１８０に関連付けられた時間−周波数リソースブロック２１５を検知する。制御チャネル２８１がアイドル、つまり、残りのＵＥ１０１ａ−２、１０１ａ−３、１０１ｂ−１、１０１ｂ−２が送信していないと、ＵＥ１０１ａ−１は、１００３で、制御チャネル２８１上で、ブロードキャスト送信１８０を介して、制御メッセージ５８０をブロードキャストする。制御メッセージ５８０は、１００４で、残りのＵＥ１０１ａ−２、１０１ａ−３、１０１ｂ−１、１０１ｂ−２、特に、ＵＥ１０１ａ−２により受信される。ＵＥ１０１ａ−２は、制御メッセージ５８０を復号する。よって、ＵＥ１０１ａ−１が、１００７で、データパケット４９１を送信するために使用する、チャネル２８０の時間−周波数リソースブロック２１５の表示を読み出す。ＵＥ１０１ｂ−１は、１００６で、チャネル２８０の各無線リソース２２１、２２２、２２３のこの時間−周波数ブロック２１５での送信を停止する。特に、ＵＥ１０１ｂ−１は、ベストエフォートデータの送信能力があるので、ＵＥ１０１ａ−１によるデータパケット４９１の送信を可能にするため、チャネル２８０のこの時間−周波数リソースブロック２１５で、ベスエフォートデータをブロックする。
【０１０２】
制御チャネル２８１が、１００２で、ビジーであると検知された場合もシナリオが生じ得る。この理由は、１００２で、ＵＥ１０１ａ−２が、制御メッセージ５８０を送信しているからであり得る。これが生じると、ＵＥ１０１ａ−１は、バックオフメカニズムに入る。指数関数的なバックオフメカニズムが、ＣＳＭＡ／  ＣＤ技術に対応して利用され得る。
【０１０３】
さらなる変形が図１１に示される。ここで、ＵＥ１０１ａ−１及びＵＥ１０１ａ−２の両方は、１１０３で、制御チャネル２８１がアイドルであることを検知する。制御チャネル２８１は、共有無線リソースを含む。その後、ＵＥ１０１ａ−１及びＵＥ１０１ａ−２の両方は、制御チャネル２８１の同じ共有無線リソースを使用し、１１０４、１１０５のそれぞれで、各制御メッセージ５８０を送信し、制御メッセージ５８０は、１１０１、１１０２のそれぞれで、各ＵＬ送信バッファに到着したイベントトリガデータのデータパケット４９１を送信する、ＵＥ１０１ａ−１、ＵＥ１０１ａ−２の必要性を示している。ＵＥ１０１ａ−１は、１１０６の間、例えば、エネルギレベルを測定することにより、衝突を検出する。ＵＥ１０１ａ−１は、ブロードキャスト送信１８０をブロックし、指数関数的にバックオフに移行し得る。ＵＥ１０１ａ−２も、同様に動作する。ＵＥ１０１ａ−１及びＵＥ１０１ａ−２の両方は、１１１２、１１１３で制御メッセージ５８０を再送する際の衝突を回避する、ランダムなバックオフ期間１１０９、１１１１を実行している。この様に、制御メッセージ５８０は、最終的に、１１１３、１１１５それぞれで、受信が成功し得る。
【０１０４】
衝突の検出は、制御メッセージ５８０の送信に応答して、制御チャネル２８１の信号レベルを検知することを含み得る。検知された信号レベルと、予め決められた信号閾値との閾値比較が実行され得る。閾値比較に応じて、制御メッセージ５８０は、選択的に再送され得る。
【０１０５】
図１２において、Ｄ２Ｄ支援衝突回避メカニズムによらないシナリオが示されている。ここでは、１２０１で、イベントトリガデータが、ＵＥ１０１ａ−１の送信バッファに到着している。オプションのチャネル競合（図１２には示さず）の後、ＵＥ１０１ａ−１は、１２０３で、ユニキャスト送信１９０を介して、アクセスノード１０２に制御メッセージ５８０を送信する。個別ＵＬ制御チャネル２８１が利用され、例えば、ＵＬ制御チャネル２８１は、共有無線リソースを含まないかもしれず、チャネル競合は不要となる。アクセスノード１０２は、１２０４で、制御メッセージ５８０を受信する。ある処理遅延１２０５の後、１２０６で、アクセスノード１０２は、ユニキャスト送信１９０を介して、ＵＥ１０１ａ−１に他の制御メッセージ５８１を送信する。個別ＤＬ制御チャネル２８１が利用され、例えば、ＤＬ制御チャネル２８１は、共有無線リソースを含まないかもしれず、チャネル競合は不要となる。ＵＥ１０１ａ−１は、１２０７で、他の制御メッセージ５８１を受信する。ある処理遅延１２０８の後、ＵＥ１０１ａ−１は、他の制御メッセージ５８１により示された時間−周波数リソースブロック２１５で、データパケット４９１を送信する。
【０１０６】
図１２のシナリオにおいて、遅延は、送信時間の３倍に対応し、処理遅延の２倍に対応することが想定され、これは、凡そ、フレーム２１１の期間の３倍プラス、データ処理の追加時間（処理遅延）に対応する。ここで、アクセスノード１０２は、１２０４の後、次に利用可能なフレーム２１１で、他の制御メッセージ５８１を送信し、ＵＥ１０１ａ−１は、１１０７の後、次に利用可能なフレーム２１１で、データパケット４９１を送信し、よって、処理遅延１２０５、１２０８は、フレーム２１１の期間より短い。データパケット４９１の送信は、１２０３の後、第３フレーム２１１でスケジュールされる。フレーム２１１の期間が、例えば、０．２ミリ秒に対応すると、１２０１と１２０９との間の合計時間（遅延）は、約０．６ミリ秒に相当する。
【０１０７】
図１３は、種々の実施形態による、方法のフローチャート。１３０１で、無線リソース２２１、２２２、２２３を示す情報が格納される。例えば、情報は、第１無線リソース２２１及び／又は第２無線リソース２２２を示し得る。第１無線リソース２２１及び／又は第２無線リソース２２３は、ＵＥ１０１ａ−１、１０１ａ−２、１０１ａ−３、１０１ｂ−１、１０１ｂ−２で共有され得る。無線リソース２２３は、イベントトリガデータ及びベストエフォートデータと、を区別して割り当てられず、イベントトリガデータ及びベストエフォートデータの両方のために予約され得る。
【０１０８】
１３０２で、制御メッセージ５８０、５８１が受信される。制御メッセージ５８０、５８１は、制御チャネル２８１及び／又はチャネル２８０で、ブロードキャスト送信１８０及びユニキャスト送信１９０の少なくとも１つを介して受信され得る。制御メッセージ５８０、５８１は、無線リソース２２１、２２２、２２３の時間−周波数リソースブロック２１５を事前に示している。
【０１０９】
制御メッセージ５８０、５８１は、各ＵＥ１０１ａ−１、１０１ａ−２、１０１ａ−３、１０１ｂ−１、１０１ｂ−２が、１３０３での示された時間−周波数リソースブロック２１５における送信の停止を指示する。この様に、衝突回避メカニズムは、実装され得る。制御メッセージ５８０、５８１が、他のＵＥ１０１ａ−１、１０１ａ−２、１０１ａ−３、１０１ｂ−１、１０１ｂ−２から、例えば、制御チャネル２８１のブロードキャスト送信１８０を介して受信される場合、Ｄ２Ｄ支援衝突回避メカニズムが実行され得る。制御メッセージ５８０、５８１は、アクセスノード１０２からも受信され得る。
【０１１０】
オプションとして、各ＵＥ１０１ａ−１、１０１ａ−２、１０１ａ−３、１０１ｂ−１、１０１ｂ−２は、制御メッセージ５８０により示されたのとは別の時間−周波数リソースブロック２１５（図１３には示さず）で、無線リソース２２１、２２２、２２３を介して、イベントトリガデータ及び／又はベストエフォートデータのデータパケット４９１、４９２を送信し得る。
【０１１１】
図１４は、種々の実施形態によるフローチャートである。１４０１で、第１無線リソース２２１及び第２無線リソース２２２を示す情報がメモリに格納される。チャネル２８０の第１無線リソース２２１は、イベントトリガデータのために予約され、チャネル２８０の第２無線リソース２２２は、ベストエフォートデータのために予約される。第１及び第２無線リソース２２１、２２２は、共有無線リソースである。１４０２で、情報が、メモリから読み出される。その後、第１無線リソース２２１及び第２無線リソース間の選択が、ベストエフォートデータのデータパケット４９２の送信のために生じる。１４０２は、ＵＬ送信バッファでデータパケット４９２の利用が可能になったことの応答であり得る。
【０１１２】
１４０２で、第１無線リソース２２１及び第２無線リソース間の選択のために、異なる決定基準が考慮され得る。例えば、選択は、第２無線リソース２２２のチャネル２８０のトラフィック負荷に依存する。それに代えて、或いは、加えて、選択は、チャネル２８０での送信の停止を指示する制御メッセージ５８０、５８１が受信されたかに依存し得る。それに代えて、或いは、加えて、選択は、以前に受信した制御メッセージ５８０、５８１により示された時間−周波数リソースブロック２１５に依存し得る。
【０１１３】
例えば、トラフィック負荷が判定され得る。無線リソース２２２のトラフィック負荷の判定は、判定されたトラフィック負荷と予め決められたトラフィック閾値との閾値比較を実行することを含み得る。判定されたトラフィック負荷と予め決められたトラフィック閾値との閾値比較で、トラフィック負荷が予め決められたトラフィック閾値を下回るとの結果であると、第１無線リソース２２２を、１４０２で選択することが可能である。
【０１１４】
１４０３で、第１無線リソースが、１４０２で選択されたかがチェックされる。選択されていると、１４０４で、ベストエフォートデータのデータパケット４９２が、第１無線リソース２２１を使用して送信される。この様に、元々は他のイベントトリガデータに予約された第１無線リソース２２１を、ベストエフォートデータのデータパケット４９２の送信のために再利用することが可能になる。
【０１１５】
第２無線リソース２２２が１４０２で選択されたと、１４０３で判定されると、方法は、オプションとして、第２無線リソース２２２を使用した、ベストエフォートデータのデータパケット４９２の送信を含み得る（図１４には示さず）。
【０１１６】
図１５は、種々の実施形態による方法のフローチャートである。１５０１で、無線リソース２２１、２２２、２２３を示す情報がメモリに格納される。無線リソース２２１、２２２、２２３は、少なくともイベントトリガデータのために予約されている。さらに、無線リソース２２１、２２２、２２３は、ベストエフォートデータのために予約されていても良い。例えば、１５０１で、イベントトリガデータのために予約された第１無線リソース２２１と、ベストエフォートデータのために予約された第１無線リソース２２２と、を示す情報を格納することもできる。
【０１１７】
１５０２で、イベントトリガデータのデータパケット４９１の送信が必要であるかと、無線リソース２２１、２２２、２２３を利用する必要性があるかがチェックされる。例えば、１５０２で、イベントトリガデータのデータパケット４９１が、各ＵＥ１０１ａ−１、１０１ａ−２、１０１ａ−３、１０１ｂ−１、１０１ｂ−２のＵＬ送信バッファで送信待ちであるかをチェックすることが可能である。
【０１１８】
１５０２で、データパケット４９１を送信する必要があると判定されると、方法は、１５０３に進む。１５０３で、制御メッセージ５８０が送信される。制御メッセージ５８０は、データパケット４９１を送信する必要性を事前に示す。
【０１１９】
一般的に、１５０３で、制御メッセージ５８０を送信する異なる技術を使用できる。例えば、１５０３で、制御メッセージ５８０は、ブロードキャスト送信１８０を介して、任意の他のＵＥ及び／又はアクセスノード１０２に送信され得る。代わりに、又は、追加して、１５０３で、制御メッセージ５８０は、ユニキャスト送信１９０を介してアクセスノード１０２に送信され得る。一般的に、制御メッセージ５８０は、無線リソース２２１、２２２、２２３があるチャネル２８０で送信されるが、代わりに、或いは、追加して、制御メッセージ５８０は、制御チャネル２８１で送信され得る。
【０１２０】
さらに、１５０３で送信された制御メッセージ５８０のコンテンツは、種々のシナリオにおいて異なり得る。１つのシナリオにおいて、制御メッセージ１５０３は、制御メッセージ５８０の送信に想定される特定の時間−周波数ブロック２１５を特定することなく、データパケット４９１を送信する必要性を、暗示的又は明示的に示し得る。他のシナリオにおいて、制御メッセージ５８０は、制御メッセージ５８０の送信にスケジュールされる１つ以上の特定の時間−周波数ブロック２１５を、暗示的又は明示的に示し得る。例えば、制御メッセージ５８０は、複数の時間−周波数リソースブロック２１５の候補を示し得る。制御メッセージ５８０の送信後に受信される他の制御メッセージ５８１と、複数の時間−周波数リソースブロック２１５の候補の肯定的或いは否定的な承認に応じて、１つ以上の候補タイムスロットが、制御メッセージ５８０の送信のために明確に選択され得る。
【０１２１】
１５０４で、イベントトリガデータのデータパケット５９１が、無線リソース２２１、２２２、２２３を利用して送信される。特に、１５０３で送信された制御メッセージ５８０により示された特定の時間−周波数リソースブロック２１５において、１５０４で、データパケット４９１が送信される。代わりに、或いは、追加して、１５０３で制御メッセージ５８０を送信した後に受信される、他の制御メッセージ（図１５には示さず）で示された時間−周波数ブロック２５０において、１５０４で、データパケット４９１が送信され得る。
【０１２２】
上記内容からわかる様に、制御メッセージ５８０の送信に使用される特定の時間−周波数リソースブロック２１５を選択する決定ロジックは、１５０４でデータパケット４９１を送信する各ＵＥ１０１ａ−１、１０１ａ−２、１０１ａ−３、１０１ｂ−１、１０１ｂ−２の中に全体的に、或いは、部分的に存在する。同様に、種々のシナリオによると、データパケット４９１の送信に使用される時間−周波数リソースブロックを選択するこの決定ロジックは、アクセスノード１０２及び／又は１つ以上の他のＵＥ１０１の中に全体的に、或いは、部分的に存在する。
【０１２３】
図１６には、種々の実施形態による方法のフローチャートが示される。１６０１で、無線リソース２２１、２２２、２２３は、ＵＥ１０１ａ−１、１０１ａ−２、１０１ａ−３、１０１ｂ−１、１０１ｂ−２と、他のＵＥ１０１ａ−１、１０１ａ−２、１０１ａ−３、１０１ｂ−１、１０１ｂ−２に、共有方法で、予め割り当てられる。例えば、１６０１で、イベントトリガデータのために予約された第１無線リソース２２１、及び／又は、ベストエフォートデータのために予約された第２無線リソース２２２を、予め割り当てることが可能である。一般的に、１５０１で予め割り当てられた無線リソース２２１、２２２、２２３は、繰り返し生じる無線リソースであり得る。
【０１２４】
１６０２で、制御メッセージ５８０が受信される。制御メッセージ５８０は、あるＵＥ１１０１ａ−１、１０１ａ−２、１０１ａ−３、１０１ｂ−１、１０１ｂ−２の、イベントトリガデータのデータパケット４９１送信の必要性を事前に示す。
【０１２５】
その後、１６０３で、データパケット４９１の送信のための無線リソースの時間−周波数リソースブロック２５０が選択される。
【０１２６】
１６０４で、無線リソース２２１、２２２、２２３の選択された時間−周波数リソースブロック２１５を示す他の制御メッセージ５８１が送信される。他の制御メッセージ５８１は、制御チャネル５８１及び／又はチャネル５８０で、ブロードキャスト送信１８０及び／又はユニキャスト送信１９０の少なくとも１つを介して送信され得る。
【０１２７】
例えば、図１６による方法は、アクセスノード２０２により実行され得る。その様なシナリオにおいて、１６０３で時間−周波数ブロック２１５を選択する決定ロジックは、少なくとも部分的にアクセスノード１０２に存在する。例えば、１６０２で受信した制御メッセージ５８０は、複数の時間−周波数リソースブロック２１５の候補を示し得る。その後、１５０３で、特定の時間−周波数リソースブロック２１５が、制御メッセージ５８０により示された複数の時間−周波数リソースブロック２１５の候補から選択され得る。他の制御メッセージ５８１は、制御メッセージ５８０により示された時間−周波数リソースブロック２１５の候補の少なくとも幾つかを肯定的及び／又は否定的に示すことが可能である。
【０１２８】
図１７は、ＵＥ１０１ａ−１、１０１ａ−２、１０１ａ−３、１０１ｂ−１、１０１ｂ−２を示している。ＵＥ１０１ａ−１、１０１ａ−２、１０１ａ−３、１０１ｂ−１、１０１ｂ−２は、プロセッサ１７０１を備えている。プロセッサ１７０１は、マルチコアプロセッサでありえるが、それに代えて、或いは、加えて、分散コンピューティングを利用できる。ＵＥ１０１ａ−１、１０１ａ−２、１０１ａ−３、１０１ｂ−１、１０１ｂ−２は、無線インタフェース１７０２を備えている。無線インタフェース１７０２は、レディオインタフェースとしても参照され得る。無線インタフェース１７０２は、ＭＴＣネットワーク１００のチャネル２８０及び制御チャネル２８１でデータを無線により送受信する様に構成される。一般的に、ＵＬ制御チャネル２８１は、３ＧＰＰ  ＬＴＥ無線アクセス技術の場合におけるＰＵＣＣＨに対応し得る。同様に、ＤＬ制御チャネル２８１は、一般的に、３ＧＰＰ  ＬＴＥ無線アクセス技術の場合におけるＰＤＣＣＨに対応し得る。よって、無線インタフェース１７０２は、ＵＬ及びＤＬ送信の両方をサポートし得る。ＵＥ１０１ａ−１、１０１ａ−２、１０１ａ−３、１０１ｂ−１、１０１ｂ−２は、さらに、ヒューマンーマシン・インタフェース（ＨＭＩ）１７０３を備えている。例えば、ＨＭＩ１７０３は、キーボード、タッチセンシティブディスプレイ、ディスプレイ、ボタン、ラウドスピーカー、音声認識システム等の１つ以上を含み得る。ＵＥ１０１ａ−１、１０１ａ−２、１０１ａ−３、１０１ｂ−１、１０１ｂ−２は、さらに、例えば、不揮発性メモリといったメモリ１７０４を含んでいる。メモリ１７０４は、プロセッサ１７０１により実行されると、ＵＥ１０１ａ−１、１０１ａ−２、１０１ａ−３、１０１ｂ−１、１０１ｂ−２に図１３〜１５の技術を実行させる制御命令を格納している。メモリ１７０４は、さらに、無線リソース２２１、２２２、２２３に関する情報を格納し得る。無線リソース２２１、２２２、２２３は予約されているので、これは可能である。
【０１２９】
図１８は、アクセスノード１０２を示している。アクセスノード１０２は、プロセッサ１８０１を備えている。プロセッサ１８０１は、マルチコアプロセッサであり得る。代わりに、或いは、追加して、分散コンピューティングが使用され得る。アクセスノード１０２は、さらに、無線インタフェース１８０２を備えている。無線インタフェース1８０２は、レディオインタフェースとしても参照され得る。無線インタフェース１８０２は、ＭＴＣネットワーク１００のチャネル２８０及びＭＴＣネットワーク１００の制御チャネル２８１でデータを無線により送受信する様に構成される。一般的に、ＵＬ制御チャネル２８１は、３ＧＰＰ  ＬＴＥ無線アクセス技術の場合におけるＰＵＣＣＨに対応し得る。同様に、ＤＬ制御チャネル２８１は、一般的に、３ＧＰＰ  ＬＴＥ無線アクセス技術の場合におけるＰＤＣＣＨに対応し得る。よって、無線インタフェース１８０２は、ＵＬ及びＤＬ送信の両方をサポートし得る。アクセスノード１０２は、さらに、ＨＭＩ１８０３を備えている。例えば、ＨＭＩ１８０３は、キーボード、タッチセンシティブディスプレイ、ディスプレイ、ボタン、ラウドスピーカー、音声認識システム等の１つ以上を含み得る。アクセスノード１０２は、さらに、例えば、不揮発性メモリといったメモリ１８０４を含んでいる。メモリ１８０４は、プロセッサ１８０１により実行されると、アクセスノード１０２に図１６の技術を実行させる制御命令を格納している。メモリ１８０４は、さらに、無線リソース２２１、２２２、２２３に関する情報を格納し得る。無線リソース２２１、２２２、２２３は、それぞれ、アクセスノード１２により事前に割り当てられ、予約されているため、これは可能である。
【０１３０】
図１９は、種々の実施形態による方法のフローチャートである。１９０１で、ベストエフォートデータのデータパケット４９２が、あるＵＥ１０１ａ−１、１０１ａ−２、１０１ａ−３、１０１ｂ−１、１０１ｂ−２の送信バッファで受信される。１９０２で、第２無線リソース２２２のトラフィック負荷が高いかがチェックされる。例えば、１９０２の一部として、第２無線リソース２２２のトラフィック負荷を判定し、判定したトラフィック負荷を予め決められたトラフィック閾値と比較することが可能である。
【０１３１】
１９０２で、第２無線リソース２２２のトラフィック負荷が高くないと判定されると、１９０１で受信された、ベストエフォートデータのデータパケット４９２が、１９０３で、第２無線リソース２２２を使用して送信される。
【０１３２】
しかしながら、１９０２で、第２無線リソースのトラフィック負荷が比較的高いと判定されると、１９０４で、制御メッセージ５８０、５８１を以前に受信していたかがチェックされる。制御メッセージ５８０、５８１を受信していないと、ベストエフォートデータのデータパケット４９２が、１９０５で、第１無線リソース２２１を使用して送信される。
【０１３３】
しかしながら、１９０４で、制御メッセージ５８０、５８１を以前に受信していたと判定されると、１９０５で、第１無線リソース２２１及び／又は、示された時間−周波数リソースブロック２１５での送信は、予め決められた時間期間だけ停止される。
【０１３４】
図２０は、種々の実施形態による方法のフローチャートである。２００1で、イベントが生じる。これにより、イベントトリガデータのデータパケット４９１が、対応するＵＥ１０１ａ−１、１０１ａ−２、１０１ａ−３、１０１ｂ−１、１０１ｂ−２の送信バッファで受信される。
【０１３５】
データパケット４１９の受信は、２００２で、制御メッセージ５８０の送信をトリガする。制御メッセージ５８０は、データパケット４９１の送信を目的とした、特定の時間−周波数リソースブロック２５０、或いは、時間−周波数リソースブロックの複数の候補を、オプションとして示し得る。
【０１３６】
２００２で制御メッセージ５８０を送信している間、２００３で、チャネル２８０で送信している他のデバイスとの衝突が生じたかがチェックされる。２００３で衝突が検出されると、方法は、２００４に進む。２００４で、ＵＥはバックオフに入る。つまり、ＵＥは、ＣＳＭＡ／ＣＤ技術に従い、ランダムなバックオフ期間、待機する。その後、２００５で、制御メッセージ４８０は再送信され、方法は、２００６に進む。
【０１３７】
しかしながら、２００３で衝突が検出されないと、方法は、直接、２００６に進む。オプションとして、２００６で、他の制御メッセージ５８１が受信される。例えば、制御メッセージ５８０は、時間−周波数リソースブロックの複数の候補を含み、他の制御メッセージ５８１は、時間−周波数リソースブロック２１５の複数の候補を肯定的或いは否定的に承認し得る。他の制御メッセージ５８１は、例えば、制御メッセージ５８０が、いずれの時間−周波数リソースブロック２１５も示さない場合、単一の時間−周波数リソースブロック２１５を示すことが可能である。
【０１３８】
２００７で、イベントトリガデータのデータパケット４９１が、時間−周波数リソースブロック２１５を利用して送信される。
【０１３９】
図２１には、制御メッセージ５８０及び他の制御メッセージ５８１が示されている。制御メッセージ５８０は、イベントトリガデータのデータパケット４９１の送信が意図された特定の時間−周波数リソースブロック２１５の表示を含む。図２１のシナリオにおいて、特定の時間−周波数リソースブロック２１５は、基準サブフレーム２１１に対して相対的に定義されている。
【０１４０】
図２１のシナリオにおいて、他の制御メッセージ５８０は、制御メッセージ５８０により示された時間−周波数リソースブロック２１５を肯定的に承認している。同様に、他の制御メッセージ５８１は、制御メッセージ５８０により示された時間−周波数リソースブロック２１５を否定的に承認することができる。その場合、イベントトリガデータのデータパケット４９１の送信のための異なる時間−周波数リソースブロックを提案し得る。
【０１４１】
図２２には、種々の実施形態による制御メッセージ５８０及び他の制御メッセージ５８１が示されている。図２２のシナリオにおいて、制御メッセージ５８０は、時間−周波数リソースブロック２１５の表示を含まず、むしろ、制御メッセージ５８０は、イベントトリガデータのデータパケット４９１を送信する必要性を明示的に示している。制御メッセージ５８０は、イベントトリガデータのデータパケット４９１を送信する必要性を暗示的に示すことも可能である。
【０１４２】
図２２のシナリオにおいて、他の制御メッセージ５８１は、時間−周波数リソースブロック２１５の表示を含んでいる。
【０１４３】
一般的に、制御メッセージ５８０及び／又は他の制御メッセージ５８１は、複数の時間−周波数リソースブロック２１５を示すことが可能であり得る。
【０１４４】
要約すると、上記技術は、第２クラスのデータの送信のために、少なくとも第１クラスのデータのために予約されたリソースを再利用することを可能にする。種々のＵＥが第１クラスのデータのデータパケットを送信する必要性を先にブロードキャストする場合、Ｄ２Ｄ支援衝突回避メカニズムが可能である。他のシナリオは、Ｄ２Ｄ支援衝突回避メカニズムに依存しない。例えば、無線ネットワークのアクセスノードが、第１クラスのデータのデータパケットを送信する必要がある、あるＵＥの１つの表示を取得すると、アクセスノードは、データパケットの送信のための無線リソースを空けるよう、残りのＵＥに制御メッセージを送信できる。これにより、アクセスノードは、無線リソースのどの部分、或いは、どの時間−周波数リソースブロックが要求ＵＥにより使用されるべきかを示すことができ、要求ＵＥは、第１クラスのデータのデータパケットを送信するため、１つ又は複数の時間−周波数リソースブロックを自律的に選択することも可能である。選択は、信頼性要求、ＱｏＳ要求及び／又はチャネル状態に基づき得る。
【０１４５】
本発明について、ある好ましい実施形態に関して説明したが、本明細書を読み、理解した当業者には、等価及び修正形態が生じ得る。本発明は、総てのその様な等価形態及び修正形態を含み、添付の特許請求の範囲によりのみ制限される。
【０１４６】
例えば、主に２つの特定クラスのデータ、つまり、イベントトリガデータ及びベストエフォートデータについて主に参照した。しかし、一般的に、異なるタイプのデータを、上述した技術の対象とすることができる。上述した技術は、任意の２クラスのデータ、つまり、第１クラスのデータ及び第２クラスのデータに容易に適用され得る。例えば、第１クラスのデータ及び第２クラスのデータは、異なる送信優先度の点で特徴付けられ得る。
【０１４７】
制御メッセージに、送信されるイベントトリガデータのデータパケットの優先度の表示も含めることも可能であり得る。そして、他のＵＥが、送信される、より低い優先度のイベントトリガデータを有する場合、他のＵＥは、送信を延期、つまり、バックオフを実行することができる。
【０１４８】
上述した種々の実施形態は、ブロードキャスト送信、又は、ユニキャスト送信を介して、データパケットを送信する観点で説明したが、一般的に、ブロードキャスト及びユニキャスト送信の任意を介してデータパケットを送信することが可能である。同様に、制御メッセージの送信は、ブロードキャスト送信、又は、ユニキャスト送信を介して生じるが、オプションとして、個別専用チャネルを使用することができる。制御チャネルは、共有無線リソースである必要はない。
【０１４９】
上記種々の実施形態は、主に、ＭＴＣネットワークに関して説明したが、一般的に、その様な技術は、他の種類のネットワークに容易に適用され得る。特に、その様な技術は、セルラネットワークに適用され得る。
【図１】
0006546283.tif 000002
【図２】
0006546283.tif 000003
【図３】
0006546283.tif 000004
【図４】
0006546283.tif 000005
【図５】
0006546283.tif 000006
【図６】
0006546283.tif 000007
【図７】
0006546283.tif 000008
【図８】
0006546283.tif 000009
【図９】
0006546283.tif 000010
【図１０】
0006546283.tif 000011
【図１１】
0006546283.tif 000012
【図１２】
0006546283.tif 000013
【図１３】
0006546283.tif 000014
【図１４】
0006546283.tif 000015
【図１５】
0006546283.tif 000016
【図１６】
0006546283.tif 000017
【図１７】
0006546283.tif 000018
【図１８】
0006546283.tif 000019
【図１９】
0006546283.tif 000020
【図２０】
0006546283.tif 000021
【図２１】
0006546283.tif 000022
【図２２】
0006546283.tif 000023